(57)【要約】【課題】複数のリンク情報を情報処理端末の利用者に利便性高く提示させることが可能な、情報処理装置、及び情報処理方法を提案する。【解決手段】情報処理端末からの、物体を識別するための物体識別情報の受信に基づいて、前記物体識別情報に対応づけられた複数のリンク情報を取得するリンク情報取得部と、取得された前記複数のリンク情報を含み、前記複数のリンク情報の各々が示すリンク先から取得される情報を表示するリンク一覧画像の生成に用いられるレイアウト情報を生成するレイアウト情報生成部と、生成された前記レイアウト情報を前記情報処理端末へ送信させる送信制御部と、を備える、情報処理装置。【選択図】図１８
2015033712.tif 000002
【特許請求の範囲】
【請求項１】
情報処理端末からの、物体に関連する情報の受信に基づいて、前記物体に関連する情報に対応づけられた複数のリンク情報を取得するリンク情報取得部と、
取得された前記複数のリンク情報を含み、前記複数のリンク情報の各々が示すリンク先から取得される情報を表示するリンク一覧画像の生成に用いられるレイアウト情報を生成するレイアウト情報生成部と、
生成された前記レイアウト情報を前記情報処理端末へ送信させる送信制御部と、
を備える、情報処理装置。
【請求項２】
前記レイアウト情報生成部は、前記リンク一覧画像において前記複数のリンク情報の各々に関連づけて表示される文字列または画像をさらに含むように前記レイアウト情報を生成する、請求項１に記載の情報処理装置。
【請求項３】
前記レイアウト情報生成部は、取得された前記複数のリンク情報のうち、前記情報処理端末から取得された利用者による前記情報処理端末の操作に基づいて決定される表示拒否条件に合致するリンク情報を含まないように前記レイアウト情報を生成する、請求項１に記載の情報処理装置。
【請求項４】
前記情報処理装置は、前記リンク一覧画像における前記複数のリンク情報の表示の優先順位を決定する優先順位決定部をさらに備え、
前記レイアウト情報生成部は、前記優先順位決定部により決定された表示の優先順位に従って前記レイアウト情報を生成する、請求項１に記載の情報処理装置。
【請求項５】
前記優先順位決定部は、前記情報処理端末の利用者に関する情報に基づいて、前記リンク一覧画像における前記複数のリンク情報の表示の優先順位を決定する、請求項４に記載の情報処理装置。
【請求項６】
前記情報処理端末の利用者に関する情報は、利用者の前記リンク一覧画像に対する操作履歴であり
前記優先順位決定部は、前記情報処理端末から受信された利用者の前記リンク一覧画像に対する操作履歴に基づいて、前記複数のリンク情報の表示の優先順位を決定する、請求項５に記載の情報処理装置。
【請求項７】
前記情報処理端末の利用者に関する情報は、利用者のリンク情報の選択履歴であり、
前記優先順位決定部は、前記情報処理端末から受信された利用者のリンク情報の選択履歴に基づいて、前記複数のリンク情報の表示の優先順位を決定する、請求項５に記載の情報処理装置。
【請求項８】
前記情報処理端末の利用者に関する情報は、物体に関連する情報の読み取りの履歴であり、
前記優先順位決定部は、前記情報処理端末から受信された前記物体に関連する情報の読み取りの履歴に基づいて、前記複数のリンク情報の表示の優先順位を決定する、請求項５に記載の情報処理装置。
【請求項９】
前記情報処理端末の利用者に関する情報は、利用者の嗜好を示す嗜好情報であり、
前記優先順位決定部は、前記情報処理端末から受信された利用者の嗜好情報に基づいて、前記複数のリンク情報の表示の優先順位を決定する、請求項５に記載の情報処理装置。
【請求項１０】
前記優先順位決定部は、複数の前記情報処理端末の利用者による各リンク先に対する評価値に基づいて、前記リンク一覧画像における前記複数のリンク情報の表示の優先順位を決定する、請求項４に記載の情報処理装置。
【請求項１１】
前記優先順位決定部は、設定されている評価基準に基づいて、前記リンク一覧画像における前記複数のリンク情報の表示の優先順位を決定する、請求項４に記載の情報処理装置。
【請求項１２】
前記物体に関連する情報は、物体を識別するための物体識別情報を含み、
前記優先順位決定部は、前記情報処理端末から受信された物体識別情報が示す物体の属性に基づいて、前記リンク一覧画像における前記複数のリンク情報の表示の優先順位を決定する、請求項４に記載の情報処理装置。
【請求項１３】
前記物体に関連する情報は、物体を識別するための物体識別情報を含み、
前記物体識別情報は、前記情報処理端末により物体から読み取られた識別情報である、請求項１に記載の情報処理装置。
【請求項１４】
前記物体に関連する情報は、物体を識別するための物体識別情報を含み、
前記物体識別情報は、前記情報処理端末により読み取られた識別情報の履歴の中から利用者の操作に基づいて送信された識別情報である、請求項１に記載の情報処理装置。
【請求項１５】
前記レイアウト情報生成部は、さらに、前記情報処理端末から受信される前記情報処理端末に関する情報に基づいて前記レイアウト情報を生成する、請求項１に記載の情報処理装置。
【請求項１６】
情報処理端末からの、物体に関連する情報の受信に基づいて、前記物体に関連する情報に対応づけられた複数のリンク情報を取得することと、
取得された前記複数のリンク情報を含み、前記複数のリンク情報の各々が示すリンク先から取得される情報を表示するリンク一覧画像の生成に用いられるレイアウト情報をプロセッサにより生成することと、
生成された前記レイアウト情報を前記情報処理端末へ送信させることと、
を備える、情報処理方法。
【請求項１７】
外部の装置と通信する通信部と、
制御部と、
を備え、
前記制御部は、
情報処理端末からの、物体に関連する情報の受信に基づいて、前記物体に関連する情報に対応づけられた複数のリンク情報を前記通信部を介して取得し、
取得された前記複数のリンク情報を含み、前記複数のリンク情報の各々が示すリンク先から取得される情報を表示するリンク一覧画像の生成に用いられるレイアウト情報を生成し、
生成された前記レイアウト情報を前記情報処理端末へ前記通信部に送信させる、情報処理装置。
【請求項１８】
コンピュータを、
情報処理端末からの、物体に関連する情報の受信に基づいて、前記物体に関連する情報に対応づけられた複数のリンク情報を取得するリンク情報取得部と、
取得された前記複数のリンク情報を含み、前記複数のリンク情報の各々が示すリンク先から取得される情報を表示するリンク一覧画像の生成に用いられるレイアウト情報を生成するレイアウト情報生成部と、
生成された前記レイアウト情報を前記情報処理端末へ送信させる送信制御部と、
として機能させるためのプログラム。
【請求項１９】
コンピュータを、
情報処理端末からの、物体に関連する情報の受信に基づいて、前記物体に関連する情報に対応づけられた複数のリンク情報を取得するリンク情報取得部と、
取得された前記複数のリンク情報を含み、前記複数のリンク情報の各々が示すリンク先から取得される情報を表示するリンク一覧画像の生成に用いられるレイアウト情報を生成するレイアウト情報生成部と、
生成された前記レイアウト情報を前記情報処理端末へ送信させる送信制御部と、
として機能させるためのプログラムを記録したコンピュータ読み取り可能な記録媒体。
【発明の詳細な説明】
【技術分野】
【０００１】
本開示は、情報処理装置、及び情報処理方法に関する。
【背景技術】
【０００２】
従来、例えば携帯電話などによりＩＣ（Ｉｎｔｅｇｒａｔｅｄ  Ｃｉｒｃｕｉｔ）タグやバーコードに含まれるＵＲＬ（Ｕｎｉｆｏｒｍ  Ｒｅｓｏｕｒｃｅ  Ｌｏｃａｔｏｒ）を読み取り、そして、読み取ったＵＲＬに対応するリンク先に接続するための技術が広く利用されている。【０００３】
例えば、特許文献１に記載の技術では、ＩＣチップリーダ／ライター（なお、以下、ＩＣチップＲ／Ｗと記載する）は、ユーザにより、携帯電話に搭載されたＩＣチップをかざされると、ＩＣチップの識別情報を読み出して、サーバへ送信する。そして、サーバは、ＩＣチップＲ／Ｗの設置場所に関連したクチコミサイトのＵＲＬなどを携帯電話に送信する。
【先行技術文献】
【特許文献】
【０００４】
【特許文献１】特開２００７−２７９７８９号公報
【発明の概要】
【発明が解決しようとする課題】
【０００５】
ところで、特許文献１に記載の技術では、例えば、ＩＣチップＲ／Ｗに対応づけられたリンク情報に関して、携帯電話にリンク先のタイトルだけを表示させたり、リンク先のＵＲＬのみを表示させる。このため、利用者は、例えばリンク先のタイトルになじみがない場合など、画面に表示された情報からいずれのリンク情報を選択するべきかを判断することが困難である。よって、上記の技術では、複数のリンク情報を利用者に利便性高く提示させることができない。【０００６】
そこで、本開示では、複数のリンク情報を情報処理端末の利用者に利便性高く提示させることが可能な、新規かつ改良された情報処理装置、及び情報処理方法を提案する。
【課題を解決するための手段】
【０００７】
上記課題を解決するために、本開示のある観点によれば、情報処理端末からの、物体に関連する情報の受信に基づいて、前記物体に関連する情報に対応づけられた複数のリンク情報を取得するリンク情報取得部と、取得された前記複数のリンク情報を含み、前記複数のリンク情報の各々が示すリンク先から取得される情報を表示するリンク一覧画像の生成に用いられるレイアウト情報を生成するレイアウト情報生成部と、生成された前記レイアウト情報を前記情報処理端末へ送信させる送信制御部と、を備える、情報処理装置が提供される。【０００８】
また、上記課題を解決するために、本開示の別の観点によれば、情報処理端末からの、物体に関連する情報の受信に基づいて、前記物体に関連する情報に対応づけられた複数のリンク情報を取得することと、取得された前記複数のリンク情報を含み、前記複数のリンク情報の各々が示すリンク先から取得される情報を表示するリンク一覧画像の生成に用いられるレイアウト情報をプロセッサにより生成することと、生成された前記レイアウト情報を前記情報処理端末へ送信させることと、を備える、情報処理方法が提供される。【０００９】
また、上記課題を解決するために、本開示の別の観点によれば、外部の装置と通信する通信部と、制御部と、を備え、前記制御部は、情報処理端末からの、物体に関連する情報の受信に基づいて、前記物体に関連する情報に対応づけられた複数のリンク情報を前記通信部を介して取得し、取得された前記複数のリンク情報を含み、前記複数のリンク情報の各々が示すリンク先から取得される情報を表示するリンク一覧画像の生成に用いられるレイアウト情報を生成し、生成された前記レイアウト情報を前記情報処理端末へ前記通信部に送信させる、情報処理装置が提供される。【００１０】
また、上記課題を解決するために、本開示の別の観点によれば、コンピュータを、情報処理端末からの、物体に関連する情報の受信に基づいて、前記物体に関連する情報に対応づけられた複数のリンク情報を取得するリンク情報取得部と、取得された前記複数のリンク情報を含み、前記複数のリンク情報の各々が示すリンク先から取得される情報を表示するリンク一覧画像の生成に用いられるレイアウト情報を生成するレイアウト情報生成部と、生成された前記レイアウト情報を前記情報処理端末へ送信させる送信制御部と、として機能させるためのプログラムが提供される。【００１１】
また、上記課題を解決するために、本開示の別の観点によれば、コンピュータを、情報処理端末からの、物体に関連する情報の受信に基づいて、前記物体に関連する情報に対応づけられた複数のリンク情報を取得するリンク情報取得部と、取得された前記複数のリンク情報を含み、前記複数のリンク情報の各々が示すリンク先から取得される情報を表示するリンク一覧画像の生成に用いられるレイアウト情報を生成するレイアウト情報生成部と、生成された前記レイアウト情報を前記情報処理端末へ送信させる送信制御部と、として機能させるためのプログラムを記録したコンピュータ読み取り可能な記録媒体が提供される。
【発明の効果】
【００１２】
以上説明したように本開示によれば、複数のリンク情報を情報処理端末の利用者に利便性高く提示させることができる。なお、ここに記載された効果は必ずしも限定されるものではなく、本開示中に記載されたいずれかの効果であってもよい。
【図面の簡単な説明】
【００１３】
【図１】本開示の各実施形態による情報処理システムの構成例を示した説明図である。
【図２】同実施形態による情報処理端末１０のハードウェア構成を示した説明図である。
【図３】同実施形態による管理サーバ２０のハードウェア構成を示した説明図である。
【図４】本開示の比較例によるリンク一覧画像の構成例を示した説明図である。
【図５】本開示の各実施形態の概要を示した説明図である。
【図６】第１の実施形態による情報処理端末１０の構成を示した機能ブロック図である。
【図７】同実施形態によるレイアウト情報の構成例を示した説明図である。
【図８】同実施形態による初期リンク一覧画像の構成例を示した説明図である。
【図９】同実施形態による初期リンク一覧画像の構成例を示した説明図である。
【図１０】同実施形態による更新後リンク一覧画像の構成例を示した説明図である。
【図１１】同実施形態による更新後リンク一覧画像の構成例を示した説明図である。
【図１２】同実施形態による更新後リンク一覧画像の構成例を示した説明図である。
【図１３】同実施形態による横画面におけるリンク一覧画像の表示例を示した説明図である。
【図１４】同実施形態による横画面におけるリンク一覧画像の表示例を示した説明図である。
【図１５】同実施形態によるテーブルサイズタブレット端末におけるリンク一覧画像の表示例を示した説明図である。
【図１６】同実施形態による情報要約部１０６の機能を示した説明図を示した説明図である。
【図１７】同実施形態によるリンク一覧画像における操作例を示した説明図である。
【図１８】同実施形態による管理サーバ２０の構成を示した機能ブロック図である。
【図１９】同実施形態によるタグＩＤテーブルの構成例を示した説明図である。
【図２０】同実施形態によるリンク情報テーブルの構成例を示した説明図である。
【図２１】同実施形態による履歴テーブルの構成例を示した説明図である。
【図２２】同実施形態による操作履歴テーブルの構成例を示した説明図である。
【図２３】同実施形態による選択履歴テーブルの構成例を示した説明図である。
【図２４】同実施形態による読み取り履歴テーブルの構成例を示した説明図である。
【図２５】同実施形態による評価値テーブルの構成例を示した説明図である。
【図２６】同実施形態による動作の一部を示したシーケンス図である。
【図２７】同実施形態による動作の一部を示したシーケンス図である。
【図２８】第２の実施形態によるタグＩＤ選択用画像の構成例を示した説明図である。
【図２９】同実施形態による動作の一部を示したシーケンス図である。
【図３０】本開示の変形例による情報処理システムの構成例を示した説明図である。
【発明を実施するための形態】
【００１４】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１５】
また、本明細書及び図面において、実質的に同一の機能構成を有する複数の構成要素を、同一の符号の後に異なるアルファベットを付して区別する場合もある。例えば、実質的に同一の機能構成を有する複数の構成を、必要に応じてリンクサーバ３０ａおよびリンクサーバ３０ｂのように区別する。ただし、実質的に同一の機能構成を有する複数の構成要素の各々を特に区別する必要がない場合、同一符号のみを付する。例えば、リンクサーバ３０ａおよびリンクサーバ３０ｂを特に区別する必要が無い場合には、単にリンクサーバ３０と称する。
【００１６】
また、以下に示す項目順序に従って当該「発明を実施するための形態」を説明する。
１．情報処理システムの基本構成
１−１．基本構成
１−２．本開示の比較例
２．本開示の概要
３．各実施形態の詳細な説明
３−１．第１の実施形態
３−２．第２の実施形態
４．変形例
【００１７】
＜１．情報処理システムの基本構成＞
［１−１．基本構成］
本開示は、一例として「３−１．第１の実施形態」〜「３−２．第２の実施形態」において詳細に説明するように、多様な形態で実施され得る。以下では、まず、このような各実施形態において共通する情報処理システムの基本構成について説明する。
【００１８】
図１は、各実施形態による情報処理システムの基本構成を示した説明図である。図１に示したように、各実施形態による情報処理システムは、情報処理端末１０、通信網１２、タグ１４、管理サーバ２０、およびリンクサーバ３０を含む。
【００１９】
（１−１−１．情報処理端末１０）
情報処理端末１０は、後述する通信網１２に接続可能な端末である。詳細については後述するが、情報処理端末１０は、複数のリンク情報を含むレイアウト情報の提供を管理サーバ２０に要求する機能を有する。また、情報処理端末１０は、取得されたレイアウト情報に従って複数のリンク情報を表示画面に一覧表示させる機能を有する。
【００２０】
なお、情報処理端末１０は、例えば、スマートフォンなどの携帯電話、タブレット端末、ＰＤＡ（Ｐｅｒｓｏｎａｌ  Ｄｉｇｉｔａｌ  Ａｓｓｉｓｔａｎｔ）、デジタルスチルカメラ、デジタルビデオカメラ、またはゲーム機などであってもよい。
【００２１】
また、この情報処理端末１０は、例えば図２に示すようなハードウェア構成を有する。図２は、情報処理端末１０のハードウェア構成を示した説明図である。図２に示したように、情報処理端末１０は、例えば、ＣＰＵ（Ｃｅｎｔｒａｌ  Ｐｒｏｃｅｓｓｉｎｇ  Ｕｎｉｔ）１５０、ＲＯＭ（Ｒｅａｄ  Ｏｎｌｙ  Ｍｅｍｏｒｙ）１５２、ＲＡＭ（Ｒａｎｄｏｍ  Ａｃｃｅｓｓ  Ｍｅｍｏｒｙ）１５４、記録媒体１５６、入出力インターフェース１５８、操作入力デバイス１６０、表示デバイス１６２、通信インターフェース１６４、ＩＣチップ１６６、通信アンテナ１６８、およびカメラ１７４を備える。また、情報処理端末１０は、例えば、データの伝送路としてのバス１７２で各構成要素間を接続する。
【００２２】
‐ＣＰＵ１５０‐
ＣＰＵ１５０は、例えば各種処理回路などで構成され、情報処理端末１０全体を制御する制御部１００として機能する。また、ＣＰＵ１５０は、情報処理端末１０において、例えば、後述する要求部１０２、表示制御部１０４、情報要約部１０６、および送信制御部１０８の機能を実現する。
【００２３】
‐ＲＯＭ１５２‐
ＲＯＭ１５２は、ＣＰＵ１５０が使用するプログラムや演算パラメータなどの制御用データなどを記憶する。
【００２４】
‐ＲＡＭ１５４‐
ＲＡＭ１５４は、例えば、ＣＰＵ１５０により実行されるプログラムなどを一時的に記憶する。
【００２５】
‐記録媒体１５６‐
記録媒体１５６は、後述する記憶部１２８として機能し、例えば、設定情報や、アプリケーションなど様々なデータを記憶する。ここで、記録媒体１５６としては、例えば、ハードディスクなどの磁気記憶装置や、フラッシュメモリなどの不揮発性メモリが挙げられる。なお、記録媒体１５６は、情報処理端末１０から着脱可能であってもよい。
【００２６】
‐入出力インターフェース１５８‐
入出力インターフェース１５８は、例えば、操作入力デバイス１６０や、表示デバイス１６２を接続する。操作入力デバイス１６０は、例えば、後述する入力部１２４として機能し、また、表示デバイス１６２は、例えば、後述する表示部１２２として機能する。ここで、入出力インターフェース１５８としては、例えば、ＵＳＢ（Ｕｎｉｖｅｒｓａｌ  Ｓｅｒｉａｌ  Ｂｕｓ）端子や、ＤＶＩ（Ｄｉｇｉｔａｌ  Ｖｉｓｕａｌ  Ｉｎｔｅｒｆａｃｅ）端子、ＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）端子、各種処理回路などが挙げられる。また、操作入力デバイス１６０は、例えば、情報処理端末１０上に備えられ、情報処理端末１０の内部で入出力インターフェース１５８と接続される。操作入力デバイス１６０としては、例えば、ボタン、方向キー、ジョグダイヤルなどの回転型セレクター、あるいは、これらの組み合わせなどが挙げられる。また、表示デバイス１６２は、例えば、情報処理端末１０上に備えられ、情報処理端末１０の内部で入出力インターフェース１５８と接続される。表示デバイス１６２としては、例えば、液晶ディスプレイや有機ＥＬ（Ｅｌｅｃｔｒｏ−Ｌｕｍｉｎｅｓｃｅｎｃｅ）ディスプレイなどが挙げられる。
【００２７】
なお、入出力インターフェース１５８は、情報処理端末１０の外部装置としての操作入力デバイス（例えば、キーボードやマウスなど）や表示デバイスなどの、外部デバイスと接続することも可能である。また、表示デバイス１６２は、例えばタッチスクリーンなど、表示とユーザ操作とが可能なデバイスであってもよい。
【００２８】
‐通信インターフェース１６４‐
通信インターフェース１６４は、情報処理端末１０が備える通信手段であり、通信網１２を介して（あるいは、直接的に）、例えば、管理サーバ２０などの外部装置と無線／有線で通信を行うために用いられる。この通信インターフェース１６４は、例えば、後述する通信部１２０として機能する。なお、通信インターフェース１６４としては、例えば、通信アンテナおよびＲＦ（Ｒａｄｉｏ  Ｆｒｅｑｕｅｎｃｙ）回路（無線通信）や、ＩＥＥＥ８０２．１５．１ポートおよび送受信回路（無線通信）、ＩＥＥＥ８０２．１１ｂポートおよび送受信回路（無線通信）、あるいはＬＡＮ（Ｌｏｃａｌ  Ａｒｅａ  Ｎｅｔｗｏｒｋ）端子および送受信回路（有線通信）などが挙げられる。
【００２９】
‐ＩＣチップ１６６‐
ＩＣチップ１６６は、例えばＮＦＣ（Ｎｅａｒ  Ｆｉｅｌｄ  Ｃｏｍｍｕｎｉｃａｔｉｏｎ）によって形成される通信路による通信に係る様々な機能を集積回路にて実現したものである。ここで、ＩＣチップ１６６は、例えば、送受信アンテナとしての所定のインダクタンスをもつコイルおよび所定の静電容量をもつキャパシタからなる共振回路で構成された通信アンテナ１６８と接続され、通信アンテナ１６８を介して、ＮＦＣによって形成される通信路による通信を行う。ＩＣチップ１６６が集積される回路としては、例えば、復調回路やレギュレータ、負荷抵抗とスイッチング回路で構成され選択的に負荷変調を行う負荷変調回路、各種データ処理や負荷変調を制御する処理回路、データを記憶可能なメモリ素子などが挙げられる。また、ＩＣチップ１６６は、搬送波の受信を検出するための矩形の検出信号を生成するキャリア検出回路をさらに備えてもよい。
【００３０】
‐リーダ１７０‐
リーダ１７０は、例えばＡＳＫ（Ａｍｐｌｉｔｕｄｅ  Ｓｈｉｆｔ  Ｋｅｙｉｎｇ）などの所定の変調を行う変調回路、変調回路の出力を増幅する増幅回路、および、所定のインダクタンスをもつコイルなどから構成される。このリーダ１７０は、例えば、外部の装置に対して識別情報や受電能力情報などの送信を要求する高周波信号を生成したり、または、外部の装置に対する各種処理命令や処理用のデータを含む高周波信号を生成する。また、リーダ１７０は、生成した高周波信号に応じた搬送波を送信する。
【００３１】
‐カメラ１７４‐
カメラ１７４は、外部の映像を、レンズを通して例えばＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）などの撮像素子に結像させ、静止画像又は動画像を撮影する機能を有する。このカメラ１７４は、例えば、後述するタグ読み取り部１２６として機能する。
【００３２】
なお、情報処理端末１０のハードウェア構成は、上述した構成に限定されない。例えば、情報処理端末１０は、カメラ１７４を備えなくてもよい。
【００３３】
（１−１−２．通信網１２）
通信網１２は、通信網１２に接続されている装置から送信される情報の無線、または有線の伝送路である。例えば、通信網１２は、インターネット、電話回線網、衛星通信網などの公衆回線網や、Ｅｔｈｅｒｎｅｔ（登録商標）を含む各種のＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）などを含んでもよい。また、通信網１２は、ＩＰ−ＶＰＮ（Ｉｎｔｅｒｎｅｔ  Ｐｒｏｔｏｃｏｌ−Ｖｉｒｔｕａｌ  Ｐｒｉｖａｔｅ  Ｎｅｔｗｏｒｋ）などの専用回線網を含んでもよい。
【００３４】
（１−１−３．タグ１４）
タグ１４は、本開示における物体の一例である。このタグ１４は、タグ１４に関連した情報を有する。ここで、タグ１４に関連した情報は、例えば、予めタグ１４に対応づけて登録されたタグＩＤである。また、タグ１４に関連した情報は、タグ１４の種類、タグ１４に対応づけられたカテゴリ、タグ１４が配置されている場所、タグ１４が取り付けられている物、またはタグ１４の色などを示す情報であってもよい。なお、タグＩＤは、本開示における物体識別情報の一例である。
【００３５】
また、タグ１４は、さらに、管理サーバ２０の例えばＵＲＬなどのリンク情報を有することが可能である。また、タグ１４は、サービスＩＤなどの、管理サーバ２０のリンク情報に関する補助的な情報を有することも可能である。
【００３６】
なお、図１では、タグ１４が、例えばカード１６ａや衣類１６ｂなどの商品１６に取り付けられる例を示しているが、かかる例に限定されない。例えば、タグ１４は、駅、博物館、オフィスビル、地下通路などの建物内の壁、建物内に配置された机や椅子、店舗内の商品販売コーナー、または建物内外に配置された看板など、実世界上の任意の場所に配置される。
【００３７】
また、本開示における物体は、タグ１４に限られない。例えば、本開示における物体は、１次元バーコード、２次元バーコード、または、紙などの各種媒体に印刷された所定の画像であってもよい。また、本開示における物体は、上記のリーダ１７０に相当するような、高周波信号を生成し、生成された信号に応じた搬送波を送信する通信装置であってもよい。また、本開示における物体は、上記のリーダ１７０に相当するハードウェアから送信される搬送波を受信する通信装置であってもよい。なお、本明細書では以後、本開示における物体がタグ１４であり、また、本開示における「物体に関連した情報」がタグＩＤである例を中心として説明する。
【００３８】
（１−１−４．管理サーバ２０）
管理サーバ２０は、本開示における情報処理装置の一例である。管理サーバ２０は、タグＩＤと、リンク先を示す複数のリンク情報との対応関係を管理するための装置である。ここで、リンク先とは、後述するリンクサーバ３０が管理するＷｅｂページなどのサイト、または、例えば情報処理端末１０の記録媒体１５６に記録されたアプリケーションなどである。
【００３９】
この管理サーバ２０は、例えば図３に示すようなハードウェア構成を有する。図３は、管理サーバ２０のハードウェア構成を示した説明図である。図３に示したように、管理サーバ２０は、例えば、ＣＰＵ２５０、ＲＯＭ２５２、ＲＡＭ２５４、通信インターフェース２５６、および記録媒体２５８を備える。また、管理サーバ２０は、例えば、データの伝送路としてのバス２６０で各構成要素間を接続する。
【００４０】
ＣＰＵ２５０は、管理サーバ２０において、例えば、後述する制御部２００、リンク情報取得部２０２、レイアウト情報生成部２０４、送信制御部２０６、および優先順位決定部２０８の機能を実現する。また、通信インターフェース２５６は、後述する通信部２２０として機能する。また、記録媒体２５８は、後述する記憶部２２２として機能する。なお、ＣＰＵ２５０、ＲＯＭ２５２、ＲＡＭ２５４、通信インターフェース２５６、および記録媒体２５８は、それぞれ情報処理端末１０におけるＣＰＵ１５０、ＲＯＭ１５２、ＲＡＭ１５４、通信インターフェース１６４、および記録媒体２５８と同様のハードウェア構成を有してもよい。
【００４１】
（１−１−５．リンクサーバ３０）
リンクサーバ３０は、後述するように、情報処理端末１０からの要求に応じて、リンクサーバ３０に記憶されている情報を情報処理端末１０へ提供するための装置である。なお、リンクサーバ３０は、上述した管理サーバ２０と同様のハードウェア構成を有することが可能である。
【００４２】
［１−２．本開示の比較例］
ここで、本開示の特徴を明確に示すために、本開示の比較例について説明する。図４は、本開示の比較例によるリンク一覧画像９０の構成例、およびリンク一覧画像９０における一つのリンク先（「横浜市営バス」というタイトルのリンク先）に対応づけられたリンク画像９２の構成例を示した説明図である。図４に示したように、本開示の比較例は、リンク一覧画像９０において利用者によりリンク先選択欄９００の中からいずれかのリンク先が選択されると、選択されたリンク先に対応するリンク画像９２を表示画面に表示する。これにより、利用者は、選択したリンク先から受信された情報の内容を、リンク画像９２において確認することができる。
【００４３】
しかしながら、この本開示の比較例では、リンク一覧画像９０には、各リンク先のタイトルのような非常に少ない情報しか表示されない。このため、利用者は、特にリンク一覧画像９０に表示されたリンク先になじみがなかったり、リンク一覧画像９０に表示されたタイトル名を理解できない場合には、複数のリンク先の中から所望のリンク先を選択することが困難である。
【００４４】
そこで、上記事情を一着眼点にして本開示の各実施形態による情報処理端末１０および管理サーバ２０を創作するに至った。各実施形態による情報処理端末１０は、リンク情報を選択する上で有益な情報を利用者に提供することができる。また、各実施形態による管理サーバ２０は、複数のリンク情報を情報処理端末１０の利用者に利便性高く提示させることができる。
【００４５】
＜２．本開示の概要＞
以上、本開示の各実施形態による情報処理システムの基本構成について説明した。続いて、上述した情報処理システムから構成される本開示の各実施形態の概要について説明する。
【００４６】
図５は、各実施形態による動作の概要を示した説明図である。図５に示したように、まず、利用者による操作により、情報処理端末１０は、タグ１４からタグＩＤを取得し、そして、取得されたタグＩＤを管理サーバ２０に送信する。次に、管理サーバ２０は、情報処理端末１０から受信されたタグＩＤに対応づけられた複数のリンク情報を例えば後述する記憶部２２２から取得し、取得されたリンク情報を含むレイアウト情報を生成する。そして、管理サーバ２０は、生成されたレイアウト情報を情報処理端末１０へ送信する（Ｓ１１）。
【００４７】
その後、情報処理端末１０は、管理サーバ２０から受信されたレイアウト情報に基づいてリンク一覧画像を生成し、そして、生成したリンク一覧画像を表示画面に表示させる（Ｓ１２）。
【００４８】
その後、情報処理端末１０は、レイアウト情報に含まれる複数のリンク情報の各々に対応するリンクサーバ３０などのリンク先から情報を取得する。そして、情報処理端末１０は、取得された情報に基づいてリンク一覧画像の表示態様を更新する（Ｓ１３）。
【００４９】
上記の説明のように、情報処理端末１０は、タグ１４からのタグＩＤの取得に基づいて、タグＩＤに対応づけられた複数のリンク情報を含むレイアウト情報の提供を管理サーバ２０に対して要求する。そして、情報処理端末１０は、管理サーバ２０から取得されたレイアウト情報に基づいてリンク一覧画像を生成し、生成したリンク一覧画像を表示画面に表示させる。そして、情報処理端末１０は、レイアウト情報に含まれる複数のリンク情報の各々に対応するリンク先から情報を取得させ、取得された情報に基づいてリンク一覧画像の表示態様を制御する。
【００５０】
このため、情報処理端末１０は、例えばリンク先から取得された情報をリンク一覧画像に追加して表示させるので、情報処理端末１０は、リンク情報を選択する上で有益な情報を利用者に提供することができる。
【００５１】
また、管理サーバ２０は、情報処理端末１０からのタグＩＤの受信に基づいて、タグＩＤに対応づけられた複数のリンク情報を取得し、取得された複数のリンク情報を含むレイアウト情報を生成する。そして、管理サーバ２０は、生成されたレイアウト情報を情報処理端末１０へ送信させる。
【００５２】
このため、管理サーバ２０は、例えば複数のリンク情報を情報処理端末１０において一覧表示させるようにレイアウト情報を生成するので、複数のリンク情報を情報処理端末１０の利用者に利便性高く提示させることができる。
【００５３】
＜３．各実施形態の詳細な説明＞
以下、本開示の各実施形態について順次詳細に説明する。
【００５４】
［３−１．第１の実施形態］
（３−１−１．第１の実施形態による構成）
（３−１−１−１．情報処理端末１０）
図６は、本開示の第１の実施形態による情報処理端末１０の構成を示した機能ブロック図である。図６に示したように、情報処理端末１０は、制御部１００、通信部１２０、表示部１２２、入力部１２４、タグ読み取り部１２６、および記憶部１２８を有する。また、制御部１００は、要求部１０２、表示制御部１０４、情報要約部１０６、および送信制御部１０８を有する。
【００５５】
‐制御部１００‐
制御部１００は、情報処理端末１０に内蔵されるＣＰＵ１５０、ＲＡＭ１５４などのハードウェアを用いて、情報処理端末１０の動作を全般的に制御する。例えば、制御部１００は、通信部１２０、表示部１２２、入力部１２４、タグ読み取り部１２６、および記憶部１２８の動作を制御する。
【００５６】
‐要求部１０２‐
要求部１０２は、タグ読み取り部１２６によるタグＩＤの取得に基づいて、タグＩＤに対応づけられた複数のリンク情報を含むレイアウト情報の提供を管理サーバ２０に対して要求する。より具体的には、要求部１０２は、タグ読み取り部１２６により読み取られたタグＩＤを管理サーバ２０へ通信部１２０に送信させ、そして、レイアウト情報の提供を管理サーバ２０に対して要求する。
【００５７】
例えば、タグ１４が管理サーバ２０のＵＲＬなどのリンク情報を有する場合には、要求部１０２は、タグ読み取り部１２６によりタグ１４から読み取られる管理サーバ２０のリンク情報に対してタグＩＤを通信部１２０に送信させ、そして、レイアウト情報の提供を接続先、つまり管理サーバ２０に要求する。
【００５８】
また、タグ１４が管理サーバ２０のリンク情報を有さず、かつ、後述する記憶部１２８に管理サーバ２０のリンク情報が記憶されている場合には、要求部１０２は、記憶部１２８に記憶されているリンク情報に対してタグＩＤを通信部１２０に送信させ、そして、レイアウト情報の提供を管理サーバ２０に要求する。
【００５９】
なお、記憶部１２８に管理サーバ２０の複数のリンク情報が記憶されている場合には、要求部１０２は、複数のリンク情報のうちいずれか一つを選択し、そして、選択されたリンク情報に対してタグＩＤを通信部１２０に送信させ、そして、レイアウト情報の提供を要求することが可能である。例えば、タグ１４がサービスＩＤなどの、リンク情報の補助的な情報を有する場合には、要求部１０２は、まず、タグ読み取り部１２６により読み取られる、リンク情報の補助的な情報に基づいて、記憶部１２８に記憶されている複数のリンク情報の中からいずれか一つを選択する。そして、要求部１０２は、選択されたリンク情報に対してタグＩＤを通信部１２０に送信させ、そして、レイアウト情報の提供を管理サーバ２０に要求する。
【００６０】
（レイアウト情報）
ここで、図７を参照して、レイアウト情報の構成例について説明する。図７は、第１の実施形態によるレイアウト情報の構成例（レイアウト情報４０）を示した説明図である。図７に示したように、レイアウト情報４０は、タグＩＤに対応づけられた複数のリンク先に関して、リンク先ごとの表示指定情報４００を含む。ここで、表示指定情報４００は、例えば、リンク先のタイトルや、ＵＲＬやパスなどのリンク先の位置を示すリンク情報を含む。なお、表示指定情報４００ｂに示したように、表示指定情報４００はさらに、リンク先の有効期限などの利用可能時期を示す情報を含んでもよい。また、表示指定情報４００ｃに示したように、表示指定情報４００はさらに、アプリケーションの具体的な起動方法や引数などを含んでもよい。この表示指定情報４００ｃによれば、例えば情報処理端末１０において利用者により「Ａｐｐ  Ｘ」が選択された場合には、情報処理端末１０は、「Ａｐｐ  Ｘ」をレイアウト情報４０における指示通りに実行させることが可能となる。また、表示指定情報４００ｄに示したように、表示指定情報４００はさらに、アプリケーションの種類を指定する情報を含んでもよい。なお、表示指定情報４００ｄは、アプリケーションの種類としてＲＩＡ（Ｒｉｃｈ  Ｉｎｔｅｒｎｅｔ  Ａｐｐｌｉｃａｔｉｏｎｓ）が指定された例を示している。この表示指定情報４００ｄによれば、例えば情報処理端末１０において利用者により「Ａｐｐ  Ｙ」が選択された場合には、情報処理端末１０は、リンクサーバ３０から一部の情報だけを取得し、そして、情報処理端末１０のランタイムにおいてアプリケーションを実行させる。また、表示指定情報４００ｅに示したように、表示指定情報４００は、リンク一覧画像においてタイトルとともに表示される背景画像やアイコンなどの画像データ、または、例えば情報処理端末１０に記憶されている背景画像やアイコンなどを表示させるための指示情報をさらに含んでもよい。
【００６１】
また、図７において下向きの矢印で示したように、レイアウト情報４０は、さらに、各リンク先の並べ順などの表示の優先順位の指定を含む。なお、図７は、例えば「Ｓｉｔｅ  Ａ」が「Ｓｉｔｅ  Ｂ」よりもリンク一覧画像において上位に表示されるように、図７においてより上側に記載されているリンク情報ほど表示の優先順位がより高くなるように指定された例を示している。
【００６２】
‐表示制御部１０４‐
（Ａ．リンク一覧画像の生成時の機能）
表示制御部１０４は、管理サーバ２０から取得されるレイアウト情報に基づいてリンク一覧画像を生成し、そして、生成したリンク一覧画像を表示画面に表示させる。
【００６３】
（Ａ−１．制御例１）
より具体的には、表示制御部１０４は、レイアウト情報が示すレイアウトに従って、複数のリンク情報の各々に対応づけられたリンク画像をリンク一覧画像の中に配置することが可能である。
【００６４】
ここで、図８および図９を参照して、リンク一覧画像の構成例について説明する。図８および図９は、表示制御部１０４により生成されるリンク一覧画像の構成例（初期リンク一覧画像５０）を示した説明図である。図８および図９に示したように、例えば、表示制御部１０４は、複数のリンク情報の各々に対応づけられたリンク画像５００を初期リンク一覧画像５０の中に配置する。また、表示制御部１０４は、例えば図７に示したようなレイアウト情報が示すリンク情報の表示順に従って、初期リンク一覧画像５０を生成する。なお、図８は、レイアウト情報において表示の順序が「日本公園の会」、「東日本道路会」、「横浜市営バス」、「田中さんのブログ」、…の順に定められていた場合における初期リンク一覧画像５０の例を示している。
【００６５】
（Ａ−２．制御例２）
また、表示制御部１０４は、レイアウト情報に指定された、リンク先のタイトルを示す文字列をリンク画像５００の内部に配置することが可能である。例えば、図８に示したように、表示制御部１０４は、リンク画像５００ａの内部に「日本公園の会」というタイトルを配置する。
【００６６】
（Ａ−３．制御例３）
また、表示制御部１０４は、さらに、レイアウト情報に指定されている指定文字列５０２をリンク画像５００の内部に配置することも可能である。例えば、図８に示したように、表示制御部１０４は、リンク画像５００ｂの内部に、「茅ヶ崎海の家ガイド」というタイトルに加えて、「明日でおしまい！」という指定文字列５０２ｂを配置する。
【００６７】
（Ａ−４．制御例４）
また、表示制御部１０４は、リンク先から取得される情報の種類に応じて、リンク画像５００の形状、模様、背景色、または輪郭線の色などの表示態様を変化させることも可能である。例えば、図８におけるリンク画像５００ｃのように、表示制御部１０４は、リンク先から取得される情報の種類がＷｅｂページである場合にはリンク画像５００を四角形で表示する。また、図９におけるリンク画像５００ｄのように、表示制御部１０４は、リンク先から取得される情報の種類がアプリケーションである場合にはリンク画像５００の四隅を曲線で表示する。
【００６８】
（Ｂ．リンク一覧画像の更新時の機能）
また、表示制御部１０４は、レイアウト情報に含まれる複数のリンク情報の各々に対応するリンク先から情報を取得させ、そして、取得された情報に基づいてリンク一覧画像の表示態様を制御する。
【００６９】
（Ｂ−１．制御例１）
ここで、図１０および図１１を参照して、リンク一覧画像の構成例について説明する。図１０および図１１は、表示制御部１０４により更新されるリンク一覧画像の構成例（更新後リンク一覧画像５２）を示した説明図である。例えば、図１０におけるリンク画像５２０ａ、リンク画像５２０ｂ、および図１１におけるリンク画像５２０ｇに示したように、表示制御部１０４は、リンク先からの情報の取得状況に応じて、対応するリンク画像５２０の背景色などの表示態様を変化させることが可能である。なお、リンク画像５２０ａは、リンク先から情報が未取得の状況を、リンク画像５２０ｂは、リンク先から情報が取得済みの状況を、リンク画像５２０ｆは、リンク先から情報を取得中の状況をそれぞれ示した表示例である。また、リンク画像５２０ｆに示したように、表示制御部１０４は、リンク先からの情報の取得状況に応じてリンク画像５２０の背景色を例えば左側から右側へ向けて少しずつ変化させるなど、動的に変化させてもよい。
【００７０】
また、リンク画像５２０ｄに示したように、リンク画像５２０に対応するリンク情報が利用者により過去に選択されたことがある場合には、表示制御部１０４は、リンク画像５２０の背景色を他のリンク画像５２０と異ならせることも可能である。また、リンク画像５２０ｈ〜リンク画像５２０ｊに示したように、表示制御部１０４は、アプリケーションの起動可否に応じてリンク画像５２０の背景色を変化させることが可能である。なお、リンク画像５２０ｉは、アプリケーションが起動可能であることを、リンク画像５２０ｈおよびリンク画像５２０ｊは、例えばアプリケーションがダウンロードされていないなどの理由により、アプリケーションが起動不可であることをそれぞれ示した表示例である。
【００７１】
また、リンク画像５２０ｃに示したように、例えばリンク先が見つからないなどリンク先と接続不能である場合には、表示制御部１０４は、タイトル５２４ｃの文字の体裁を他のリンク画像５２０と異ならせることも可能である。
【００７２】
また、表示制御部１０４は、リンク先の状態を示す状態アイコン５２６をリンク画像５２０の内部に配置することが可能である。例えば、リンク画像５２０ｅに示したように、表示制御部１０４は、リンク先に利用可能時期が設定されていることを示す状態アイコン５２６ｅをリンク画像５２０の内部に配置する。また、リンク画像５２０ｊに示したように、表示制御部１０４は、情報処理端末１０に記憶されたアプリケーションが、リンク先から取得されたデータに非対応であることを示す状態アイコン５２６ｊをリンク画像５２０の内部に配置する。
【００７３】
また、リンク画像５２０ｆに示したように、表示制御部１０４は、リンク先から取得されたカスタムアイコン５２８などの画像をリンク画像５２０の内部に配置することも可能である。なお、カスタムアイコン５２８は、例えば各サイトのロゴマークなど、サイトごとの所定のアイコンである。
【００７４】
上述したように、表示制御部１０４は、図８または図９に示した初期リンク一覧画像５０に対して、各リンク先から受信される情報に基づいて多様な情報を追加することにより、図１０〜図１２に示した更新後リンク一覧画像５２を生成する。このため、利用者は、例えばリンク画像５００の表示態様を確認するだけで、リンク先からの情報の取得状況やリンク先の状態などを容易に認識することができ、所望のリンク先をより容易に選択することができる。
【００７５】
なお、上記の説明では、状態アイコン５２６やカスタムアイコン５２８などの画像がリンク先から取得される例について説明したが、かかる例に限定されない。例えば、これらの画像は、レイアウト情報の中に含まれていてもよい。または、これらの画像は情報処理端末１０に記憶されており、かつ、表示に関する指示の情報がレイアウト情報の中に含まれていてもよい。そして、表示制御部１０４は、レイアウト情報の指示通りに、状態アイコン５２６やカスタムアイコン５２８などの画像をリンク画像５２０の内部に配置することが可能である。また、上記の説明では、表示制御部１０４は、各リンク先から情報を取得する過程においてリンク一覧画像の表示態様を連続的に更新していく例について説明したが、かかる例に限定されない。例えば、情報処理端末１０は、各リンク先からの情報の受信をバックグラウンドで行っておき、そして、表示制御部１０４は、例えば情報の受信の完了時など所定のタイミングにおいて、リンク一覧画像の表示態様を纏めて更新してもよい。
【００７６】
（Ｂ−２．制御例２）
また、表示制御部１０４は、リンク先から取得される情報の内容を表示画面にさらに表示させることも可能である。ここで、リンク先から取得される情報は、リンク先から先読みされる情報などである。一例として、リンク先がＷｅｂページである場合には、リンク先から取得される情報は、当該Ｗｅｂページに含まれる文字列または画像の一部などである。
【００７７】
より具体的には、表示制御部１０４は、リンク先から取得された情報の内容を、リンク先に対応するリンク画像に関連付けて表示させることが可能である。例えば、図１２に示したように、表示制御部１０４は、「日本公園の会」というタイトルのサイトから取得された文字列をリンク画像５２０ａの内部に表示させる。なお、図１２に示した例において、表示制御部１０４は、リンク先から取得された文字列の代わりに、例えば後述する情報要約部１０６により要約された文字列など、リンク一覧画像における表示専用の情報をリンク画像５２０の内部に表示させることも可能である。
【００７８】
（Ｂ−３．制御例３）
また、表示制御部１０４は、表示画面において利用者によりいずれかのリンク画像が選択された場合には、選択されたリンク画像に対応するリンク先から取得された情報の内容を表示画面に表示させることが可能である。例えば、図１０に示した例において、リンク画像５２０ａが利用者により指で長押しされるなどにより選択された場合には、表示制御部１０４は、図１２に示したように、リンク画像５２０ａに対応するサイトから受信された文字列をリンク画像５２０ａの内部に表示させる。この表示例によれば、利用者は、リンク一覧画像において所望のリンク先に対応するリンク画像を選択することにより、所望のリンク先から取得された情報をリンク一覧画像において確認することができる。つまり、利用者は、同じ画面において所望のリンク先に関するより詳細な情報を確認することができる。
【００７９】
（Ｂ−４．制御例４）
また、表示制御部１０４は、レイアウト情報に含まれる複数のリンク情報のうち、情報処理端末１０の利用者の操作に基づいて決定される表示拒否条件に合致するリンク情報に対応するリンク画像をリンク一覧画像の中に配置しないことも可能である。ここで、表示拒否条件は、リンク情報が示すリンク先のカテゴリが利用者が表示を拒否するカテゴリに該当するか否かの条件であってもよい。または、表示拒否条件は、リンク情報が示すリンク先から取得される少なくとも一部の情報のカテゴリが利用者が表示を拒否するカテゴリに該当するか否かの条件であってもよい。または、表示拒否条件は、リンク情報が示すリンク先から取得される情報の中に利用者が表示を拒否する文字列や画像が含まれているか否かの条件であってもよい。
【００８０】
（Ｂ−５．制御例５）
また、表示制御部１０４は、表示画面を表示するディスプレイの属性に基づいて、リンク先から取得された情報の表示方法を変化させることが可能である。ここで、ディスプレイの属性は、ディスプレイの表示向き、ディスプレイの解像度、または、ディスプレイの表示機能などを含む。なお、上記のディスプレイは、情報処理端末１０に備えられていてもよいし、情報処理端末１０と通信可能な他の装置に備えられていてもよい。
【００８１】
例えば、表示制御部１０４は、表示画面の表示向きに基づいて、リンク先から取得された情報の表示方法を変化させる。図１２に示したように、表示画面が縦向きに表示されている場合には、表示制御部１０４は、複数のリンク画像５２０を縦方向に順々に表示させ、そして、リンク画像５２０ａのように、リンク先から取得された情報を、対応するリンク画像５２０の内部に表示させる。また、図１４に示したように、表示画面が横向きに表示されている場合には、表示制御部１０４は、複数のリンク画像５２０を横方向に順々に表示させ、そして、リンク画像５６０ａのように、リンク先から取得された情報を、対応するリンク画像５６０の内部に表示させる。
【００８２】
また、表示制御部１０４は、リンク先から取得された情報に関して表示画面に表示させる情報量をディスプレイの解像度に基づいて変化させる。より具体的には、表示制御部１０４は、ディスプレイの解像度が高いほど、表示画面に表示させる情報量を多くする。ここで、図１３および図１４を参照して、上記の機能についてより詳細に説明する。図１３および図１４は、表示画面が横向きに表示されている場合におけるリンク一覧画像の表示例を示した説明図である。なお、図１３に示したリンク一覧画像５４は、ディスプレイの解像度が低い場合におけるリンク一覧画像の例であり、図１４に示したリンク一覧画像５６は、ディスプレイの解像度が高い場合におけるリンク一覧画像の例である。
【００８３】
図１３に示したように、ディスプレイの解像度が低い場合には、表示制御部１０４は、リンク一覧画像５４において各々のリンク画像５４０の表示サイズを小さくし、そして、リンク先から取得された例えば文字列５４２ａや画像５４４ａなどの情報をリンク画像５４０の外部の領域に配置する。なお、図１３に示したように、表示制御部１０４は、利用者により選択されたリンク画像（リンク画像５４０ａ）に対応するリンク先から取得された文字列や画像などの情報のみをリンク画像５４０の外部の領域に配置してもよい。また、図１４に示したように、ディスプレイの解像度が高い場合には、表示制御部１０４は、リンク一覧画像５６において各々のリンク画像５６０の表示サイズを大きくし、そして、リンク先から取得された例えば文字列などの情報をリンク画像５６０の内部に配置する。
【００８４】
これらの表示例によれば、リンク先から取得された情報のうち、表示される情報の情報量をディスプレイの解像度に基づいて調整する。このため、利用者は、リンク先から取得された情報を、例えば表示画面において閲覧しやすい文字数や画像サイズで見ることができ、閲覧によるストレスが小さい。
【００８５】
また、表示制御部１０４は、ディスプレイの表示機能に基づいて、リンク先から取得された情報の表示方法を変化させる。ここで、図１５を参照して、上記の機能についてより詳細に説明する。図１５は、情報処理端末１０がテーブルサイズタブレット端末である場合におけるリンク一覧画像の表示例（リンク一覧画像５８）を示した説明図である。なお、テーブルサイズタブレット端末は、例えばタッチパネルを備えたテーブル型のディスプレイを有し、そして、利用者は手やスタイラスなどによりディスプレイ上を押下することにより、画面上で所望の位置を選択することが可能である。また、テーブルサイズタブレット端末は、利用者により例えばＵＳＢメモリを接続されたり、または、ＩＣチップを備えたカードをテーブル上に接触された場合には、これらの記録媒体に記録されているデータをディスプレイ上に表示することが可能である。なお、図１５では、各リンク画像５８０がランダムな向きに表示される例を示しているが、かかる例に限定されず、例えば、縦または横方向に整列して表示されてもよい。
【００８６】
例えば、表示制御部１０４は、利用者によるリンク画像５８０の表示方向を変更させる操作などに基づいて、図１５に示したように、ディスプレイにおいて各リンク画像５８０を３６０°任意の方向に表示させる。また、図１５においてリンク画像５８０ｃがリンク画像５８０ｄの一部を覆っているように、表示制御部１０４は、利用者によるリンク画像５８０の表示位置を変更させる操作などに基づいて、各リンク画像５８０を重ねて表示させる。
【００８７】
（Ｂ−６．制御例６）
また、表示制御部１０４は、利用者により指定された表示設定に基づいて、リンク先から取得された情報の表示方法を変化させることも可能である。例えば、利用者により表示方向を縦向きとして設定された場合には、表示制御部１０４は、図１０〜図１２に示したようにリンク一覧画像を縦向きに表示させる。また、利用者により表示方向を横向きとして設定された場合には、表示制御部１０４は、図１３または図１４に示したようにリンク一覧画像を横向きに表示させる。この変形例によれば、画面の表示に関する利用者の好みに合わせて、リンク一覧画像の表示態様を調整することができる。
【００８８】
（Ｂ−７．制御例７）
また、表示制御部１０４は、リンク先から取得された情報の代わりに、後述する情報要約部１０６により要約された情報の内容をリンク一覧画像の内部に表示させることも可能である。
【００８９】
‐情報要約部１０６‐
情報要約部１０６は、リンク先から取得された情報の内容を要約する機能を有する。例えば、図１６に示したように、情報要約部１０６は、リンク先から取得された文字列の一部を省略したり、表示画面に表示される文字列のフォントサイズを小さくする。なお、情報要約部１０６は、例えば、リンク先から取得された文字列を形態素解析し、解析された形態素のうち形容詞や副詞の一部を取り除くことなどにより、リンク先から取得された文字列を要約する。また、情報要約部１０６は、リンク先から取得された画像のサムネイルを生成する。これらの効果として、ディスプレイの表示機能や解像度などに応じて、リンク先から取得された情報を視認性高く、また、利用者が容易に理解できるように表示させることが可能になる点が挙げられる。
【００９０】
‐送信制御部１０８‐
送信制御部１０８は、表示画面における利用者の操作履歴を示す情報を管理サーバ２０へ通信部１２０に送信させる。例えば、図１７に示したように、リンク一覧画像５２において、「横浜市営バス」というタイトルのリンク画像５２０ｃを上から４番目の位置から、上から２番目の位置へ移動させる操作が利用者によりなされた場合には、送信制御部１０８は、リンク画像５２０ｃの表示位置を４番目から２番目へ変更する操作内容を示す情報を管理サーバ２０へ通信部１２０に送信させる。
【００９１】
また、送信制御部１０８は、後述するタグ読み取り部１２６によるタグＩＤの読み取り履歴を示す情報を管理サーバ２０へ通信部１２０に送信させることが可能である。
【００９２】
‐通信部１２０‐
通信部１２０は、通信網１２を介して通信網１２に接続された各種の装置との間で情報を送受信する。例えば、通信部１２０は、要求部１０２によるレイアウト情報の提供を要求するメッセージを管理サーバ２０へ送信する。また、通信部１２０は、管理サーバ２０からレイアウト情報を受信する。
【００９３】
‐表示部１２２‐
表示部１２２は、表示制御部１０４による制御に基づいて表示画面を表示する。例えば、表示部１２２は、表示制御部１０４により生成または更新されたリンク一覧画像を表示画面に表示する。
【００９４】
‐入力部１２４‐
入力部１２４は、利用者による情報処理端末１０に対する各種の操作を受け付ける。例えば、入力部１２４は、表示画面に表示されたリンク一覧画像の中からいずれかのリンク画像を選択する操作を受け付ける。なお、図６では表示部１２２および入力部１２４が別々に構成される例を示しているが、例えばタッチパネルのように、表示部１２２および入力部１２４は一体的に構成されてもよい。
【００９５】
‐タグ読み取り部１２６‐
タグ読み取り部１２６は、本開示における情報取得部の一例である。タグ読み取り部１２６は、タグ１４からタグＩＤを読み取る機能を有する。例えば、タグ読み取り部１２６は、リーダ１７０によりタグ１４に対して高周波の搬送波を送信することにより、タグ１４からタグＩＤを読み取る。また、タグ読み取り部１２６は、タグ１４から発せられる高周波の搬送波をＩＣチップ１６６により受信することにより、タグ１４からタグＩＤを読み取る。また、タグ読み取り部１２６は、タグ１４を撮像することにより、タグ１４からタグＩＤを読み取る。
【００９６】
また、上述したように、タグ１４が管理サーバ２０のリンク情報や、管理サーバ２０のリンク情報に関する補助的な情報を有する場合には、タグ読み取り部１２６は、これらの情報をさらに読み取ることも可能である。
【００９７】
‐記憶部１２８‐
記憶部１２８は、半導体メモリや磁気ディスクなどの記憶装置により構成される。この記憶部１２８は、例えば管理サーバ２０から受信されるレイアウト情報や、タグ読み取り部１２６による読み取り履歴を示す情報などを記憶する。
【００９８】
なお、第１の実施形態によれば、情報処理端末１０に内蔵されるＣＰＵ１５０、ＲＯＭ１５２、およびＲＡＭ１５４などのハードウェアを、上述した情報処理端末１０の各構成と同等の機能を発揮させるためのコンピュータプログラムも提供可能である。また、該コンピュータプログラムを記憶させた記憶媒体も提供される。
【００９９】
また、第１の実施形態による情報処理端末１０の構成は、上述した構成に限定されない。例えば、通信部１２０、表示部１２２、入力部１２４、または記憶部１２８のうちいずれか一つ以上は情報処理端末１０に含まれず、他の装置に備えられてもよい。
【０１００】
（３−１−１−２．管理サーバ２０）
図１８は、第１の実施形態による管理サーバ２０の構成を示した機能ブロック図である。図１８に示したように、管理サーバ２０は、制御部２００、通信部２２０、および記憶部２２２を有する。また、制御部２００は、リンク情報取得部２０２、レイアウト情報生成部２０４、送信制御部２０６、および優先順位決定部２０８を有する。
【０１０１】
‐制御部２００‐
制御部２００は、管理サーバ２０に内蔵されるＣＰＵ２５０、ＲＡＭ２５４などのハードウェアを用いて、管理サーバ２０の動作を全般的に制御する。例えば、制御部２００は、通信部２２０、および記憶部２２２の動作を制御する。
【０１０２】
‐リンク情報取得部２０２‐
リンク情報取得部２０２は、情報処理端末１０からのタグＩＤの受信に基づいて、タグＩＤに対応づけられた複数のリンク情報を取得する。例えば、リンク情報取得部２０２は、後述するリンク情報テーブル２２６の記録内容を参照することにより、情報処理端末１０から受信されたタグＩＤに対応づけられた複数のリンク情報を取得する。
【０１０３】
‐レイアウト情報生成部２０４‐
レイアウト情報生成部２０４は、例えば図７に示したような、リンク情報取得部２０２により取得された複数のリンク情報を含むレイアウト情報を生成する。より具体的には、レイアウト情報生成部２０４は、リンク一覧画像において複数のリンク情報の各々に関連づけて表示される文字列または画像を含むようにレイアウト情報を生成することが可能である。例えば、レイアウト情報生成部２０４は、３−１−１−１節で説明したように、図８および図９に示した各リンク画像５００、図８に示した指定文字列５０２、または、図１０および図１１に示した状態アイコン５２６やカスタムアイコン５２８などを含むようにレイアウト情報を生成することが可能である。また、レイアウト情報生成部２０４は、図１３に示した文字列５４２や画像５４４などの情報を予めリンクサーバ３０から取得し、そして、これらの情報をさらに含むようにレイアウト情報を生成することも可能である。
【０１０４】
また、レイアウト情報生成部２０４は、リンク情報取得部２０２により取得された複数のリンク情報のうち、情報処理端末１０から受信された表示拒否条件に合致するリンク情報を含まないようにレイアウト情報を生成することが可能である。なお、この表示拒否条件は、３−１−１−１節で述べた表示拒否条件と概略同様である。
【０１０５】
また、レイアウト情報生成部２０４は、後述する優先順位決定部２０８により決定された表示の優先順位に従ってレイアウト情報を生成することが可能である。ここで、表示の優先順位とは、図７に示したような、リンク一覧画像における各リンク情報（リンク画像）の表示順であってもよいし、または、リンク一覧画像における表示サイズの大きさの順序など、リンク情報（リンク画像）の表示の強調の度合いの順位であってもよい。例えば、レイアウト情報生成部２０４は、図７に示したように、リンク情報取得部２０２により取得された複数のリンク情報を、優先順位決定部２０８により決定された表示の優先順位の順序で表示させるようにレイアウト情報を生成する。
【０１０６】
また、レイアウト情報生成部２０４は、さらに、情報処理端末１０から受信される情報処理端末１０に関する情報に基づいてレイアウト情報を生成する。ここで、情報処理端末１０に関する情報は、情報処理端末１０に含まれるディスプレイの表示向き、情報処理端末１０に含まれるディスプレイの解像度、情報処理端末１０の表示機能、または、情報処理端末１０の表示設定などを含む。
【０１０７】
例えば、レイアウト情報生成部２０４は、ディスプレイの表示向きが縦向きである場合には、図８または図９に示したように、リンク一覧画像を縦向きに表示させる指示を含むレイアウト情報を生成する。また、レイアウト情報生成部２０４は、ディスプレイの表示向きが横向きである場合には、図１３または図１４に示したように、リンク一覧画像を横向きに表示させる指示を含むレイアウト情報を生成する。また、レイアウト情報生成部２０４は、図１３に示したように、ディスプレイの解像度が所定の値より小さい場合には、リンク一覧画像において各々のリンク画像５４０を小さく表示させ、かつ、リンク先から取得される情報をリンク画像の外部に配置させる指示を含むレイアウト情報を生成する。また、レイアウト情報生成部２０４は、図１４に示したように、ディスプレイの解像度が所定の値以上である場合には、リンク一覧画像において各々のリンク画像５６０を大きく表示させ、かつ、リンク先から取得される情報を各々のリンク画像の内部に配置させる指示を含むレイアウト情報を生成する。
【０１０８】
‐送信制御部２０６‐
送信制御部２０６は、レイアウト情報生成部２０４により生成されたレイアウト情報を情報処理端末１０へ通信部２２０に送信させる。
【０１０９】
‐優先順位決定部２０８‐
優先順位決定部２０８は、情報処理端末１０により生成されるリンク一覧画像における複数のリンク情報の表示の優先順位を決定する。
【０１１０】
（決定例１）
より具体的には、優先順位決定部２０８は、情報処理端末１０の利用者に関する情報に基づいて、リンク一覧画像における複数のリンク情報の表示の優先順位を決定することが可能である。なお、情報処理端末１０の利用者とは、対象の情報処理端末１０を利用する利用者個人であってもよいし、情報処理端末１０を利用する利用者全体であってもよい。
【０１１１】
ここで、情報処理端末１０の利用者に関する情報は、利用者のリンク一覧画像に対する操作履歴であってもよい。例えば、優先順位決定部２０８は、図１７に示したように、リンク一覧画像において利用者によりリンク画像５２０の並び順を上位（または下位）に変更する操作がなされた場合には、操作されたリンク画像５２０に対応するリンク情報の表示の順位をより高く（または、より低く）するように決定する。また、図１５に示したようなテーブルサイズタブレット端末において、利用者によりリンク画像５２０の重ね順を上位（または下位）に変更する操作がなされた場合には、操作されたリンク画像５２０に対応するリンク情報の表示の順位をより高く（または、より低く）するように決定する。また、図１２に示したように、優先順位決定部２０８は、リンク一覧画像５２において利用者によりいずれかのリンク画像５２０が選択された場合には、選択されたリンク画像５２０に対応するリンク情報の表示の順位をより高くするように決定する。また、優先順位決定部２０８は、リンク一覧画像５２において利用者によりいずれかのリンク画像５２０の選択が解除された場合には、選択が解除されたリンク画像５２０に対応するリンク情報の表示の順位をより低くするように決定する。なお、優先順位決定部２０８は、例えば、後述する操作履歴テーブル２３２の記録内容を参照することにより、各利用者のリンク一覧画像に対する操作履歴を取得することが可能である。
【０１１２】
一般的に、リンク一覧画像において利用者が特定のリンク画像５２０に対して何らかの操作を行う場合には、利用者は当該リンク画像５２０に対応するリンク情報に対して関心を有していることが推定される。このため、これらの決定例によれば、利用者の関心がより強いと推定されるリンク情報ほど表示の順位をより高くすることができる。
【０１１３】
また、情報処理端末１０の利用者に関する情報は、利用者のリンク情報の選択履歴であってもよい。例えば、優先順位決定部２０８は、利用者により、より最近に選択されたリンク情報ほど表示の順位をより高くするように決定する。また、優先順位決定部２０８は、利用者により、より多く選択されたリンク情報ほど表示の順位をより高くするように決定する。また、優先順位決定部２０８は、利用者により選択された頻度がより高いリンク情報ほど表示の順位をより高くするように決定する。なお、優先順位決定部２０８は、例えば、後述する選択履歴テーブル２３４の記録内容を参照することにより、各利用者のリンク情報の選択履歴を取得することが可能である。
【０１１４】
また、情報処理端末１０の利用者に関する情報は、タグＩＤの読み取りの履歴であってもよい。例えば、優先順位決定部２０８は、利用者により、より最近に読み取られたタグＩＤに対応づけられたリンク情報ほど表示の順位をより高くするように決定する。また、優先順位決定部２０８は、利用者により、より多く読み取られたタグＩＤに対応づけられたリンク情報ほど表示の順位をより高くするように決定する。なお、優先順位決定部２０８は、例えば、後述する読み取り履歴テーブル２３６の記録内容を参照することにより、各利用者のタグＩＤの読み取りの履歴を取得することが可能である。
【０１１５】
一般的に、利用者がタグＩＤを読み取る場合には、タグ１４自体またはタグ１４が取り付けられた物体に対して利用者が関心を有していることが推定される。このため、この決定例によれば、利用者の関心がより強いと推定されるタグ１４に対応づけられたリンク情報ほど表示の順位をより高くすることができる。
【０１１６】
また、情報処理端末１０の利用者に関する情報は、例えば利用者の好きなカテゴリやジャンルなどを示す嗜好情報であってもよい。例えば、優先順位決定部２０８は、情報処理端末１０から嗜好情報が受信された場合には、受信された嗜好情報が示すカテゴリに分類されるリンク情報の表示の順位をより高くする。
【０１１７】
（決定例２）
また、優先順位決定部２０８は、複数の利用者による各リンク先に対する評価値に基づいて、リンク一覧画像における複数のリンク情報の表示の優先順位を決定することも可能である。例えば、優先順位決定部２０８は、管理サーバ２０にアクセスする利用者全体の評価値の合計値または平均値が高いリンク情報ほど、リンク情報の表示の順位をより高くするように決定する。なお、優先順位決定部２０８は、例えば、後述する評価値テーブル２３０の記録内容を参照することにより、複数の利用者による各リンク先に対する評価値を取得することが可能である。
【０１１８】
（決定例３）
また、優先順位決定部２０８は、所定の評価基準に基づいて、リンク一覧画像における複数のリンク情報の表示の優先順位を決定することも可能である。なお、所定の評価基準は、複数のリンク情報の優先順位を評価するために予め定められた数式などであってもよい。また、所定の評価基準は、管理サーバ２０の管理者などにより定められた基準であってもよい。
【０１１９】
例えば、優先順位決定部２０８は、リンク情報に対応づけられたカテゴリが所定のカテゴリに属する場合には、当該リンク情報の表示の優先順位を高くするように決定する。図２０に示した例において、所定のカテゴリとして「交通情報」が設定された場合には、優先順位決定部２０８は、「横浜市営バス」というタイトルのリンク先に対応するリンク情報（「ｗｗｗ．ＢＢＢ．ｃｏ．ｊｐ」）の表示の順位をより高くするように決定する。この決定例によれば、管理サーバ２０は、特定のリンク情報の表示の順位を高くすることが可能となるので、情報処理端末１０の利用者に対して特定のリンク情報を強く推奨することができる。
【０１２０】
（決定例４）
また、優先順位決定部２０８は、情報処理端末１０から受信されたタグＩＤが示すタグ１４の属性に基づいて、リンク一覧画像における複数のリンク情報の表示の優先順位を決定することも可能である。ここで、タグ１４の属性とは、例えば、タグ１４が配置されている場所、タグ１４が取り付けられている物体、または、タグ１４の色などである。
【０１２１】
例えば、優先順位決定部２０８は、タグ１４が配置されている場所が所定の地域に含まれる場合には、当該タグ１４のタグＩＤに対応づけられたリンク情報の表示の順位をより高くするように決定する。また、優先順位決定部２０８は、タグ１４が取り付けられている物体が所定の物体である場合には、当該タグ１４のタグＩＤに対応づけられたリンク情報の表示の順位をより高くするように決定する。なお、優先順位決定部２０８は、例えば、後述するタグＩＤテーブル２２４の記録内容を参照することにより、タグＩＤが示すタグ１４の属性に関する情報を取得することが可能である。
【０１２２】
上述したように、利用者がタグＩＤを読み取る場合には、タグ１４自体またはタグ１４が取り付けられた物体に対して利用者が関心を有していることが推定される。このため、この決定例によれば、利用者の関心がより強いと推定されるタグ１４に対応づけられたリンク情報ほど表示の順位をより高くすることができる。
【０１２３】
（決定例５）
また、優先順位決定部２０８は、レイアウト情報の送信日時に基づいて、リンク一覧画像における複数のリンク情報の表示の優先順位を決定することも可能である。ここで、レイアウト情報の送信日時は、対象の情報処理端末１０に対するレイアウト情報の送信日時であってもよいし、利用者全体に対するレイアウト情報の送信日時であってもよい。例えば、優先順位決定部２０８は、対象の情報処理端末１０に対してより最近に送信されたレイアウト情報に含まれるリンク情報ほど、リンク情報の表示の順位をより高くするように決定する。
【０１２４】
‐通信部２２０‐
通信部２２０は、通信網１２を介して通信網１２に接続された各種の装置との間で情報を送受信する。例えば、通信部２２０は、送信制御部２０６による制御に基づいてレイアウト情報を情報処理端末１０へ送信する。また、通信部２２０は、情報処理端末１０からタグＩＤを受信する。
【０１２５】
‐記憶部２２２‐
記憶部２２２は、図１８に示したように、例えば、タグＩＤテーブル２２４、リンク情報テーブル２２６、履歴テーブル２２８、および評価値テーブル２３０を記憶する。
【０１２６】
‐タグＩＤテーブル２２４‐
タグＩＤテーブル２２４は、現在利用されている各タグ１４に関する情報が記録されるテーブルである。図１９は、タグＩＤテーブル２２４の構成例を示した説明図である。図１９に示したように、タグＩＤテーブル２２４には、例えば、タグＩＤ２２４０、場所２２４２、取付物２２４４、および色２２４６が対応づけて記録される。ここで、タグＩＤ２２４０には、タグＩＤの値が記録される。また、場所２２４２には、タグ１４が配置されている場所が記録される。また、取付物２２４４には、タグ１４が取り付けられている物体が記録される。また、色２２４６には、タグ１４の色が記録される。例えば、図１９の１レコード目に示したデータは、タグＩＤが「１００１」であり、タグ１４が配置されている場所が「東京都ＡＡＡ」であり、タグ１４が取り付けられている物体が「ポスター」であり、タグ１４の色が「黒」であることを示している。
【０１２７】
なお、タグＩＤテーブル２２４に対するレコードの登録は、例えば、下記のように行われる。まず、タグＩＤテーブル２２４に対するタグＩＤの登録は以下のように行われる。タグ１４の製造時または利用開始時において、タグ１４の管理者などからタグＩＤの採番要求を管理サーバ２０が受信した場合には、制御部２００は、受信された採番要求に基づいてタグＩＤを採番し、そして、採番されたタグＩＤをタグＩＤテーブル２２４に記録する。なお、変形例として、管理サーバ２０の代わりに、他の装置がタグＩＤを採番してもよい。この変形例では、管理サーバ２０は、タグＩＤを採番する装置から、採番されたタグＩＤを取得し、そして、取得されたタグＩＤをタグＩＤテーブル２２４に追加登録する。
【０１２８】
また、タグＩＤテーブル２２４においてタグＩＤに対応づけられる属性情報の登録または更新は以下のように行われる。情報処理端末１０からタグＩＤ、またはタグＩＤの読み取り履歴を管理サーバ２０が受信した場合には、制御部２００は、まず、これらの受信情報に含まれるタグＩＤの読み取り日時が、タグＩＤテーブル２２４における当該タグＩＤに対応するレコードの記録日時よりも後であるか否かを確認する。そして、読み取り日時がレコードの記録日時よりも後である場合には、制御部２００は、これらの受信情報に含まれる、場所２２４２、取付物２２４４、または色２２４６などの属性情報を用いて、当該タグＩＤに対応するレコードの内容を更新する。
【０１２９】
‐リンク情報テーブル２２６‐
リンク情報テーブル２２６は、タグＩＤとリンク情報との対応関係が記録されるテーブルである。図２０は、リンク情報テーブル２２６の構成例を示した説明図である。図２０に示したように、リンク情報テーブル２２６には、例えば、リンク情報２２６０、タグＩＤ２２６２、種類２２６４、カテゴリ２２６６、およびタイトル２２６８が対応づけて記録される。ここで、リンク情報２２６０には、タグＩＤに対応づけられた、例えばＵＲＬやパスなどのリンク情報が記録される。また、種類２２６４には、例えばＷｅｂページやアプリケーションなど、リンク情報の種類が記録される。また、カテゴリ２２６６には、リンク情報に対応するカテゴリが記録される。また、タイトル２２６８には、リンク情報が示すリンク先のタイトルが記録される。例えば、図２０の１レコード目に示したデータは、リンク情報が「ｗｗｗ．ＡＡＡ．ｃｏ．ｊｐ」であり、リンク情報に対応づけられたタグ１４のタグＩＤが「１００１」であり、リンク情報の種類が「Ｗｅｂ」であり、リンク情報のカテゴリが「公園」であり、リンク情報が示すリンク先のタイトルが「日本公園の会」であることを示している。
【０１３０】
なお、リンク情報テーブル２２６に対するレコードの登録や削除は、例えば、下記のように行われる。まず、タグ１４の管理者などから、発行済みのタグＩＤについて新たなリンク情報を対応付けることが要求された場合には、制御部２００は、受信された登録要求に含まれるリンク情報に対応する、上述した種類２２６４、カテゴリ２２６６、およびタイトル２２６８などの属性情報がリンク情報テーブル２２６のいずれかのレコードに登録されているか確認する。もし、これらの属性情報がリンク情報テーブル２２６に全く登録されていない場合には、制御部２００は、これらの属性情報を、リンク情報が示すリンク先に対して問い合わせ、そして、リンク先から属性情報が取得された場合には、制御部２００は、取得された属性情報、および受信された登録要求に含まれるタグＩＤとリンク情報の組み合わせを対応づけてリンク情報テーブル２２６に追加登録する。一方、これらの属性情報がリンク情報テーブル２２６のいずれかのレコードに登録されている場合には、制御部２００は、リンク情報テーブル２２６に登録されている属性情報を取り出し、そして、取り出された属性情報、および受信された登録要求に含まれるタグＩＤとリンク情報の組み合わせを対応づけてリンク情報テーブル２２６に追加登録する。
【０１３１】
また、タグ１４の管理者などから、リンク情報テーブル２２６に登録されているタグＩＤとリンク情報の組み合わせを削除することが要求された場合には、制御部２００は、受信された削除要求に含まれるタグＩＤとリンク情報の組み合わせを含むレコードを削除する。
【０１３２】
‐履歴テーブル２２８‐
履歴テーブル２２８は、情報処理端末１０から受信される履歴情報が記録されるテーブルである。図２１は、履歴テーブル２２８の構成例を示した説明図である。図２１に示したように、履歴テーブル２２８は、例えば、操作履歴テーブル２３２、選択履歴テーブル２３４、および読み取り履歴テーブル２３６を有する。
【０１３３】
‐操作履歴テーブル２３２‐
操作履歴テーブル２３２は、情報処理端末１０に対する利用者の操作の履歴が記録されるテーブルである。図２２は、操作履歴テーブル２３２の構成例を示した説明図である。図２２に示したように、操作履歴テーブル２３２には、例えば、利用者ＩＤ２３２０、操作日時２３２２、リンク画像２３２４、および操作内容２３２６が対応づけて記録される。ここで、利用者ＩＤ２３２０には、利用者に対応づけて予め登録された利用者ＩＤが記録される。また、操作日時２３２２には、利用者が情報処理端末１０を操作した日時が記録される。また、リンク画像２３２４には、利用者により操作がなされたリンク画像のタイトルが記録される。また、操作内容２３２６には、リンク画像に対して利用者によりなされた操作の内容が記録される。例えば、図２２の１レコード目に示したデータは、利用者ＩＤが「２００１」である利用者により、「７／１  １３：００」において、タイトルが「横浜市営バス」であるリンク画像に対して「並び順（表示順）を４番目から２番目へ変更する操作」がなされたことを示している。
【０１３４】
なお、操作履歴テーブル２３２は、例えば、制御部２００により、情報処理端末１０から取得された操作履歴に基づいてレコードを追加登録されることなどにより、更新される。
【０１３５】
‐選択履歴テーブル２３４‐
選択履歴テーブル２３４は、利用者によるリンク情報の選択の履歴が記録されるテーブルである。図２３は、選択履歴テーブル２３４の構成例を示した説明図である。図２３に示したように、選択履歴テーブル２３４には、例えば、利用者ＩＤ２３４０、選択日時２３４２、およびリンク情報２３４４が対応づけて記録される。ここで、利用者ＩＤ２３４０には、対象の利用者の利用者ＩＤが記録される。また、選択日時２３４２には、利用者がリンク情報を選択した日時が記録される。また、リンク情報２３４４には、利用者により選択されたリンク情報が記録される。例えば、図２３の１レコード目に示したデータは、利用者ＩＤが「２００１」である利用者により、「７／１１  １０：００」において「ｗｗｗ．ＡＡＡ．ｃｏｍ」というリンク情報が選択されたことを示している。
【０１３６】
なお、選択履歴テーブル２３４は、例えば、制御部２００により、情報処理端末１０から取得された選択履歴に基づいてレコードを追加登録されることなどにより、更新される。
【０１３７】
‐読み取り履歴テーブル２３６‐
読み取り履歴テーブル２３６は、利用者によるタグＩＤの読み取り履歴が記録されるテーブルである。図２４は、読み取り履歴テーブル２３６の構成例を示した説明図である。図２４に示したように、読み取り履歴テーブル２３６には、例えば、利用者ＩＤ２３６０、読み取り日時２３６２、およびタグＩＤ２３６４が対応づけて記録される。ここで、利用者ＩＤ２３６０には、対象の利用者の利用者ＩＤが記録される。また、読み取り日時２３６２には、利用者がタグＩＤを読み取った日時が記録される。また、タグＩＤ２３６４には、利用者により読み取られたタグＩＤが記録される。例えば、図２４の１レコード目に示したデータは、利用者ＩＤが「２００１」である利用者により、「８／１  １１：３０」において、「１００１」というタグＩＤを有するタグ１４の読み取りがなされたことを示している。
【０１３８】
この読み取り履歴テーブル２３６は、各利用者によるタグ１４の読み取り履歴を集中して管理する。このため、管理サーバ２０は、例えば利用者全体や利用者層ごとのタグ１４の読み取り傾向をタグ１４の属性別に把握したり、分析することが可能となる。また、管理サーバ２０は、例えば利用者全体でより多く読み取られているタグ１４に関する情報を個々の利用者に連絡し、推奨することができる。また、個々の利用者は、例えば他の利用者により多く読み取られているタグ１４など、タグ１４の読み取りの動向を知ることが可能となる。
【０１３９】
なお、読み取り履歴テーブル２３６は、例えば、制御部２００により、情報処理端末１０から取得された読み取り履歴に基づいてレコードを追加登録されることなどにより、更新される。
【０１４０】
‐評価値テーブル２３０‐
評価値テーブル２３０は、各リンク情報が示すリンク先に対する利用者の評価値が記録されるテーブルである。図２５は、評価値テーブル２３０の構成例を示した説明図である。図２５に示したように、評価値テーブル２３０には、例えば、リンク情報２３００、利用者ＩＤ２３０２、および評価値２３０４が対応づけて記録される。ここで、リンク情報２３００には、対象のリンク情報が記録される。また、利用者ＩＤ２３０２には、リンク情報が示すリンク先に対した評価を行った利用者の利用者ＩＤが記録される。また、評価値２３０４には、リンク先に対して利用者により評価された値が記録される。例えば、図２５の１レコード目に示したデータは、「ｗｗｗ．ＡＡＡ．ｃｏｍ」というリンク情報が示すリンク先に対して、利用者ＩＤが「０００１」である利用者により「＋１」という値の評価がされたことを示している。
【０１４１】
この評価値テーブル２３０は、各利用者によるリンク情報に対する評価値を集中して管理する。このため、管理サーバ２０は、評価値テーブル２３０を参照することにより、各リンク情報に対する各利用者の好みや利用者全体の人気度を算出することが可能になる。
【０１４２】
なお、評価値テーブル２３０の更新は、例えば下記のように行われる。制御部２００は、情報処理端末１０から取得された、各リンク情報に対する評価値に基づいてレコードを追加登録する。または、制御部２００は、所定のタイミングごとに、選択履歴テーブル２３４を参照し、そして、リンク情報に対する選択回数が多いほど、値がより高くなるように各利用者の評価値を更新してもよい。また、制御部２００は、所定のタイミングごとに、選択履歴テーブル２３４を参照し、所定の期間ごとの選択回数の増減に基づいて各利用者の評価値を判定し、評価値テーブル２３０に記録されている値を更新してもよい。
【０１４３】
なお、第１の実施形態によれば、管理サーバ２０に内蔵されるＣＰＵ２５０、ＲＯＭ２５２、およびＲＡＭ２５４などのハードウェアを、上述した管理サーバ２０の各構成と同等の機能を発揮させるためのコンピュータプログラムも提供可能である。また、該コンピュータプログラムを記憶させた記憶媒体も提供される。
【０１４４】
また、第１の実施形態による管理サーバ２０の構成は、上述した構成に限定されない。例えば、通信部２２０、または記憶部２２２のうちいずれか一つ以上は管理サーバ２０に含まれず、他の装置に備えられてもよい。
【０１４５】
（３−１−２．第１の実施形態による動作）
以上、第１の実施形態による構成について説明した。続いて、第１の実施形態による動作について説明する。図２６は、第１の実施形態による動作の一部を示すシーケンス図である。
【０１４６】
図２６に示したように、まず、情報処理端末１０のタグ読み取り部１２６は、利用者の操作に基づいて、タグ１４からタグＩＤを読み取る（Ｓ１０１）。次に、情報処理端末１０の利用者は、情報処理端末１０の操作履歴や、利用者の嗜好情報を管理サーバ２０へ送信することを希望する場合には、送信を希望する操作履歴または嗜好情報を表示画面において選択する（Ｓ１０２）。なお、Ｓ１０２の動作は省略されてもよい。
【０１４７】
続いて、要求部１０２は、Ｓ１０１で読み取られたタグＩＤ、およびＳ１０２で選択された操作履歴または嗜好情報を管理サーバ２０へ通信部１２０に送信させ、そして、タグＩＤに対応するレイアウト情報の提供を管理サーバ２０に対して要求する（Ｓ１０３）。
【０１４８】
その後、管理サーバ２０のリンク情報取得部２０２は、情報処理端末１０から受信されたタグＩＤに対応づけられた複数のリンク情報を、例えばリンク情報テーブル２２６の記録内容を参照することにより取得する（Ｓ１０４）。続いて、レイアウト情報生成部２０４は、例えば情報処理端末１０から受信された操作履歴や利用者の嗜好情報などに基づいて、Ｓ１０４で取得された複数のリンク情報を含むレイアウト情報を生成する（Ｓ１０５）。続いて、送信制御部２０６は、Ｓ１０５で生成されたレイアウト情報を情報処理端末１０へ通信部２２０に送信させる（Ｓ１０６）。
【０１４９】
その後、情報処理端末１０の表示制御部１０４は、管理サーバ２０から受信されるレイアウト情報に基づいてリンク一覧画像を生成し（Ｓ１０７）、そして、生成したリンク一覧画像を表示画面に表示させる（Ｓ１０８）。
【０１５０】
次に、図２７を参照して、Ｓ１０８より後の動作について説明する。図２７は、Ｓ１０８より後の動作を示したシーケンス図である。図２７に示したように、Ｓ１０８の後、情報処理端末１０の表示制御部１０４は、レイアウト情報に含まれる複数のリンク情報の各々に対応するリンク先に対して、情報の提供を要求するメッセージを通信部１２０に送信させる（Ｓ１１１）。
【０１５１】
続いて、リンクサーバ３０は、情報処理端末１０から受信された要求メッセージに基づいて、対応する情報を情報処理端末１０へ送信する（Ｓ１１２）。
【０１５２】
続いて、情報処理端末１０の情報要約部１０６は、リンク先から取得された情報の内容を、例えばディスプレイの解像度などの属性に基づいて要約する（Ｓ１１３）。なお、Ｓ１１３の動作は、省略されてもよい。
【０１５３】
続いて、表示制御部１０４は、リンクサーバ３０から取得された情報やＳ１１３による要約の結果に基づいて、リンク一覧画像の表示態様を更新する（Ｓ１１４）。そして、表示制御部１０４は、更新したリンク一覧画像を表示画面に表示させる（Ｓ１１５）。
【０１５４】
（３−１−３．第１の実施形態による効果）
以上、例えば図６、図２６〜２７等を参照して説明したように、第１の実施形態による情報処理端末１０は、タグ１４からのタグＩＤの取得に基づいて、タグＩＤに対応づけられた複数のリンク情報を含むレイアウト情報の提供を管理サーバ２０に対して要求する。そして、情報処理端末１０は、管理サーバ２０から受信されるレイアウト情報に基づいてリンク一覧画像を生成し、生成したリンク一覧画像を表示画面に表示させる。そして、情報処理端末１０は、レイアウト情報に含まれる複数のリンク情報の各々に対応するリンク先から情報を取得させ、取得された情報に基づいて表示画面に表示されるリンク一覧画像の表示態様を制御する。このため、情報処理端末１０は、リンク情報を選択する上で有益な情報を利用者に提供することができる。
【０１５５】
例えば、情報処理端末１０は、リンク情報に対応するリンク先から取得される情報の種類を示す表示をリンク一覧画像の内部に表示させたり、リンク先から取得された情報自体をリンク一覧画像に追加で表示させる。このため、利用者は、仮にリンク一覧画像に表示されたサイトになじみがなかったり、リンク一覧画像に表示されたタイトル名を理解できない場合であっても、利用者は、リンク画像の表示態様を確認することにより、複数のサイトの中から所望のサイトを容易に選択することができる。
【０１５６】
また、図１８、図２６〜２７等を参照して説明したように、第１の実施形態による管理サーバ２０は、情報処理端末１０からのタグＩＤの受信に基づいて、タグＩＤに対応づけられた複数のリンク情報を取得し、そして、取得された複数のリンク情報を含むレイアウト情報を生成し、そして、生成されたレイアウト情報を情報処理端末１０へ送信させる。このため、管理サーバ２０は、タグＩＤに対応づけられた複数のリンク情報を情報処理端末１０の利用者に利便性高く提示させることができる。
【０１５７】
例えば、管理サーバ２０は、利用者のリンク情報の選択履歴、タグＩＤの読み取りの履歴、または複数の利用者による各リンク先に対する評価値などに基づいて、リンク一覧画像における複数のリンク情報の表示の優先順位を決定する。そして、管理サーバ２０は、決定された優先順位に基づいて、例えば複数のリンク情報の表示順や表示の強調度合いを指定するようにレイアウト情報を生成する。このため、情報処理端末１０の利用者は、リンク一覧画像において一覧表示された複数のリンク情報の中から、例えば利用者の関心がより強いリンク情報や、利用者全体の人気度がより高いリンク情報などを容易に見つけることができる。従って、利用者は、所望のリンク情報をさらに容易に選択することができる。
【０１５８】
［３−２．第２の実施形態］
以上、第１の実施形態について説明した。上述したように、第１の実施形態では、情報処理端末１０は、タグＩＤを読み取った時点において、レイアウト情報の提供を管理サーバ２０に対して要求する。次に説明するように、第２の実施形態によれば、情報処理端末１０は、過去に読み取ったタグＩＤの履歴の中から利用者により選択されたタグＩＤを管理サーバ２０へ送信し、そして、送信した時点において最新の内容のレイアウト情報を提供するように管理サーバ２０に対して要求する。
【０１５９】
（３−２−１．構成）
（３−２−１−１．情報処理端末１０）
まず、第２の実施形態による情報処理端末１０の構成について説明する。なお、第２の実施形態による情報処理端末１０の機能ブロック図は、図６に示した第１の実施形態と同様である。
【０１６０】
‐要求部１０２‐
第２の実施形態による要求部１０２は、過去に読み取られたタグＩＤの履歴の中から例えば利用者により選択されたタグＩＤに関して、当該タグＩＤに対応づけられた複数のリンク情報を含むレイアウト情報を新たに提供するように管理サーバ２０に対して要求する。
【０１６１】
‐表示制御部１０４‐
第２の実施形態による表示制御部１０４は、過去に読み取ったタグＩＤの中からいずれかを利用者が選択するためのタグＩＤ選択用画像を表示画面に表示させることが可能である。なお、このタグＩＤ選択用画像の例は、例えば以下の８種類が挙げられる。
【０１６２】
（画像例１）
例えば、タグＩＤ選択用画像は、過去にタグＩＤを読み取った日時を表示する画像であってもよい。このタグＩＤ選択用画像において、利用者は、表示された日時のいずれかを選択することにより、選択した日時に対応するタグＩＤを選択することができる。
【０１６３】
（画像例２）
また、タグＩＤ選択用画像は、例えば図２８に示したような、過去にタグＩＤを読み取った場所６０２を表示する画像であってもよい。図２８は、この画像例２によるタグＩＤ選択用画像の構成例（タグＩＤ選択用画像６０）を示した説明図である。図２８に示したように、タグＩＤ選択用画像６０において、利用者は、表示された場所６０２のいずれかを選択することにより、選択した場所６０２に対応するタグＩＤを選択することができる。
【０１６４】
（画像例３）
また、タグＩＤ選択用画像は、タグＩＤに対応づけられたカテゴリやキーワード別に、タグＩＤの読み取りの履歴が分類された画像であってもよい。このタグＩＤ選択用画像において、利用者は、表示されたカテゴリやキーワードを選択することにより、選択したカテゴリやキーワードに対応するタグＩＤを選択することができる。
【０１６５】
（画像例４）
また、タグＩＤ選択用画像は、過去に読み取ったタグＩＤの利用回数を表示する画像であってもよい。ここで、利用回数は、対象の情報処理端末１０の利用者によるタグＩＤの利用回数であってもよいし、情報処理端末１０の利用者全体によるタグＩＤの利用回数であってもよい。このタグＩＤ選択用画像において、利用者は、例えば利用回数のより多いタグＩＤを選択するなど、表示された利用回数を参考にして、タグＩＤを選択することができる。
【０１６６】
（画像例５）
また、タグＩＤ選択用画像は、利用者により設定された例えばタグＩＤの評価値に基づいて、タグＩＤの読み取りの履歴が分類された画像であってもよい。このタグＩＤ選択用画像において、利用者は、例えば評価値の高いタグＩＤを容易に発見し、選択することができる。
【０１６７】
（画像例６）
また、タグＩＤ選択用画像は、過去にタグＩＤを読み取った場所から現在位置までの距離を表示する画像であってもよい。このタグＩＤ選択用画像において、利用者は、例えば現在位置により近い場所で読み取られたタグＩＤを選択するなど、表示された距離の遠近を参考にして、タグＩＤを選択することができる。
【０１６８】
（画像例７）
また、タグＩＤ選択用画像は、例えば管理サーバ２０から受信される推奨情報などに基づいて、過去に読み取られたタグＩＤのうち利用者に選択を推奨するタグＩＤを示す画像であってもよい。このタグＩＤ選択用画像において、利用者は、例えば管理サーバ２０または情報処理端末１０により選択を推奨されるタグＩＤを容易に選択することができる。
【０１６９】
（画像例８）
また、タグＩＤ選択用画像は、過去に読み取られたタグＩＤがランダムな順序で並べられた画像であってもよい。このタグＩＤ選択用画像では、特に過去に読み取られたタグＩＤの数がとても多い場合などに、利用者は、タグＩＤをランダムに選択することができるので、選択する時間や労力を省くことができる。また、利用者は、特定のタグＩＤばかりを選択してしまうことが防止できる。
【０１７０】
また、変形例として、表示制御部１０４は、タグＩＤ選択用画像として、上記の８種類のうちいずれか２以上の種類を例えばタブ形式などにより同時に含んだり、または、２以上の種類が階層的に構成されたタグＩＤ選択用画像を生成することも可能である。
【０１７１】
なお、上記以外の構成要素の機能に関しては、第１の実施形態と同様である。
【０１７２】
（３−２−１−２．管理サーバ２０）
第２の実施形態による管理サーバ２０の構成は、第１の実施形態と同様である。従って、ここでは説明を省略する。
【０１７３】
（３−２−２．第２の実施形態による動作）
以上、第２の実施形態による構成について説明した。続いて、第２の実施形態による動作について説明する。図２９は、第２の実施形態による動作の一部を示すシーケンス図である。
【０１７４】
図２９に示したように、まず、情報処理端末１０の表示制御部１０４は、タグＩＤ選択用画像を表示画面に表示させる。そして、利用者は、タグＩＤ選択用画像において、過去に読み取ったタグＩＤの中からいずれかを選択し、入力部１２４に対して入力する（Ｓ２０１）。
【０１７５】
続いて、要求部１０２は、Ｓ２０１で選択されたタグＩＤとともに、タグＩＤに対応する最新のレイアウト情報の提供を要求するメッセージを管理サーバ２０へ通信部１２０に送信させる（Ｓ２０２）。
【０１７６】
その後、管理サーバ２０のリンク情報取得部２０２は、情報処理端末１０から受信されたタグＩＤに対応づけられた複数のリンク情報を、例えばリンク情報テーブル２２６の記録内容を参照することにより取得する（Ｓ２０３）。続いて、レイアウト情報生成部２０４は、Ｓ２０３で取得された複数のリンク情報の各々が示すリンク先に対して、例えばリンク先のタイトルやリンク画像の背景画像など、リンク一覧画像において表示される情報に関する更新の有無の問合せを通信部２２０に送信させる（Ｓ２０４）。
【０１７７】
その後、各リンクサーバ３０は、リンク一覧画像において表示される情報の内容が、タグＩＤが読み取られた時から変更されている場合には、更新された情報を管理サーバ２０へ送信する（Ｓ２０５）。なお、表示される情報の内容が変更されていない場合には、リンクサーバ３０は、Ｓ２０５の動作を省略してもよいし、変更された情報が存在しない旨のメッセージを管理サーバ２０へ送信してもよい。
【０１７８】
その後、レイアウト情報生成部２０４は、Ｓ２０５で受信された情報に基づいてレイアウト情報を再作成する（Ｓ２０６）。続いて、送信制御部２０６は、Ｓ２０６で再作成されたレイアウト情報を情報処理端末１０へ通信部２２０に送信させる（Ｓ２０７）。
【０１７９】
その後、情報処理端末１０の表示制御部１０４は、管理サーバ２０から受信されるレイアウト情報に基づいてリンク一覧画像を再生成し（Ｓ２０８）、そして、生成したリンク一覧画像を表示画面に表示させる（Ｓ２０９）。
【０１８０】
なお、Ｓ２０９より後の動作に関しては、第１の実施形態によるＳ１１１〜Ｓ１１５の動作と同様である。
【０１８１】
（３−２−３．第２の実施形態による効果）
以上、例えば図２９等を参照して説明したように、第２の実施形態による情報処理端末１０は、過去に読み取られたタグＩＤを示すタグＩＤ選択用画像を表示画面に表示させる。そして、情報処理端末１０は、タグＩＤ選択用画像において利用者により選択されたタグＩＤを管理サーバ２０へ送信するとともに、更新されたレイアウト情報の提供を管理サーバ２０に対して要求する。そして、情報処理端末１０は、管理サーバ２０から取得される更新後のレイアウト情報に基づいてリンク一覧画像を再生成し、生成したリンク一覧画像を表示画面に表示させる。
【０１８２】
このため、利用者は、過去に読み取ったタグＩＤに対応づけられた複数のリンク情報に関して、例えばリンク先のタイトルなどの文字列や、カスタムアイコンや状態アイコンなどの画像などの表示情報が最新の状態であるリンク一覧画像を閲覧することができる。
【０１８３】
また、利用者は、タグＩＤ選択用画像においてタグＩＤ、またはタグＩＤに対応する履歴を選択するだけで、選択されたタグＩＤに対応する更新後のリンク一覧画像を閲覧することができるので、利便性が高い。
【０１８４】
＜３．変形例＞
なお、添付図面を参照しながら本開示の好適な実施形態について詳細に説明したが、本開示はかかる例に限定されない。本開示の属する技術の分野における通常の知識を有する者であれば、請求の範囲に記載された技術的思想の範疇内において、各種の変更例または修正例に想到し得ることは明らかであり、これらについても、当然に本開示の技術的範囲に属するものと了解される。
【０１８５】
例えば、本開示による情報処理システムは、図１に示した構成に限定されず、変形例として、図３０に示したような構成も適用可能である。図３０は、本開示の変形例による情報処理システムの基本構成を示した説明図である。図３０に示したように、本開示の変形例による情報処理システムは、図１と比較して、新たに要約生成サーバ３２を含む。
【０１８６】
要約生成サーバ３２は、情報処理端末１０がリンクサーバ３０から受信した情報を、情報処理端末１０からの要求に応じて、情報処理端末１０において適切に表示するために要約する機能を有する。例えば、図１６に示したように、要約生成サーバ３２は、情報処理端末１０がリンクサーバ３０から受信した文字列の一部を省略したり、文字列のフォントサイズを変更する。また、要約生成サーバ３２は、情報処理端末１０がリンクサーバ３０から受信した画像のサムネイルを生成する。また、要約生成サーバ３２は、情報処理端末１０がリンクサーバ３０から受信したアニメーションなどのプログラムを情報処理端末１０の代わりに実行し、実行結果の画像などのデータを情報処理端末１０に送信することも可能である。なお、この変形例が適用される場合には、情報処理端末１０は、情報要約部１０６を有しなくもよい。
【０１８７】
なお、以下のような構成も本開示の技術的範囲に属する。
（１）
情報処理端末からの、物体に関連する情報の受信に基づいて、前記物体に関連する情報に対応づけられた複数のリンク情報を取得するリンク情報取得部と、
取得された前記複数のリンク情報を含み、前記複数のリンク情報の各々が示すリンク先から取得される情報を表示するリンク一覧画像の生成に用いられるレイアウト情報を生成するレイアウト情報生成部と、
生成された前記レイアウト情報を前記情報処理端末へ送信させる送信制御部と、
を備える、情報処理装置。
（２）
前記レイアウト情報生成部は、前記リンク一覧画像において前記複数のリンク情報の各々に関連づけて表示される文字列または画像をさらに含むように前記レイアウト情報を生成する、前記（１）に記載の情報処理装置。
（３）
前記レイアウト情報生成部は、取得された前記複数のリンク情報のうち、前記情報処理端末から取得された利用者による前記情報処理端末の操作に基づいて決定される表示拒否条件に合致するリンク情報を含まないように前記レイアウト情報を生成する、前記（１）または（２）に記載の情報処理装置。
（４）
前記情報処理装置は、前記リンク一覧画像における前記複数のリンク情報の表示の優先順位を決定する優先順位決定部をさらに備え、
前記レイアウト情報生成部は、前記優先順位決定部により決定された表示の優先順位に従って前記レイアウト情報を生成する、前記（１）〜（３）のいずれか一項に記載の情報処理装置。
（５）
前記優先順位決定部は、前記情報処理端末の利用者に関する情報に基づいて、前記リンク一覧画像における前記複数のリンク情報の表示の優先順位を決定する、前記（４）に記載の情報処理装置。
（６）
前記情報処理端末の利用者に関する情報は、利用者の前記リンク一覧画像に対する操作履歴であり
前記優先順位決定部は、前記情報処理端末から受信された利用者の前記リンク一覧画像に対する操作履歴に基づいて、前記複数のリンク情報の表示の優先順位を決定する、前記（５）に記載の情報処理装置。
（７）
前記情報処理端末の利用者に関する情報は、利用者のリンク情報の選択履歴であり、
前記優先順位決定部は、前記情報処理端末から受信された利用者のリンク情報の選択履歴に基づいて、前記複数のリンク情報の表示の優先順位を決定する、前記（５）に記載の情報処理装置。
（８）
前記情報処理端末の利用者に関する情報は、物体に関連する情報の読み取りの履歴であり、
前記優先順位決定部は、前記情報処理端末から受信された前記物体に関連する情報の読み取りの履歴に基づいて、前記複数のリンク情報の表示の優先順位を決定する、前記（５）に記載の情報処理装置。
（９）
前記情報処理端末の利用者に関する情報は、利用者の嗜好を示す嗜好情報であり、
前記優先順位決定部は、前記情報処理端末から受信された利用者の嗜好情報に基づいて、前記複数のリンク情報の表示の優先順位を決定する、前記（５）に記載の情報処理装置。
（１０）
前記優先順位決定部は、複数の前記情報処理端末の利用者による各リンク先に対する評価値に基づいて、前記リンク一覧画像における前記複数のリンク情報の表示の優先順位を決定する、前記（４）に記載の情報処理装置。
（１１）
前記優先順位決定部は、設定されている評価基準に基づいて、前記リンク一覧画像における前記複数のリンク情報の表示の優先順位を決定する、前記（４）に記載の情報処理装置。
（１２）
前記物体に関連する情報は、物体を識別するための物体識別情報を含み、
前記優先順位決定部は、前記情報処理端末から受信された物体識別情報が示す物体の属性に基づいて、前記リンク一覧画像における前記複数のリンク情報の表示の優先順位を決定する、前記（４）に記載の情報処理装置。
（１３）
前記物体に関連する情報は、物体を識別するための物体識別情報を含み、
前記物体識別情報は、前記情報処理端末により物体から読み取られた識別情報である、前記（１）〜（１２）のいずれか一項に記載の情報処理装置。
（１４）
前記物体に関連する情報は、物体を識別するための物体識別情報を含み、
前記物体識別情報は、前記情報処理端末により読み取られた識別情報の履歴の中から利用者の操作に基づいて送信された識別情報である、前記（１）〜（１２）のいずれか一項に記載の情報処理装置。
（１５）
前記レイアウト情報生成部は、さらに、前記情報処理端末から受信される前記情報処理端末に関する情報に基づいて前記レイアウト情報を生成する、前記（１）〜（１４）のいずれか一項に記載の情報処理装置。
（１６）
情報処理端末からの、物体に関連する情報の受信に基づいて、前記物体に関連する情報に対応づけられた複数のリンク情報を取得することと、
取得された前記複数のリンク情報を含み、前記複数のリンク情報の各々が示すリンク先から取得される情報を表示するリンク一覧画像の生成に用いられるレイアウト情報をプロセッサにより生成することと、
生成された前記レイアウト情報を前記情報処理端末へ送信させることと、
を備える、情報処理方法。
（１７）
外部の装置と通信する通信部と、
制御部と、
を備え、
前記制御部は、
情報処理端末からの、物体に関連する情報の受信に基づいて、前記物体に関連する情報に対応づけられた複数のリンク情報を前記通信部を介して取得し、
取得された前記複数のリンク情報を含み、前記複数のリンク情報の各々が示すリンク先から取得される情報を表示するリンク一覧画像の生成に用いられるレイアウト情報を生成し、
生成された前記レイアウト情報を前記情報処理端末へ前記通信部に送信させる、情報処理装置。
（１８）
コンピュータを、
情報処理端末からの、物体に関連する情報の受信に基づいて、前記物体に関連する情報に対応づけられた複数のリンク情報を取得するリンク情報取得部と、
取得された前記複数のリンク情報を含み、前記複数のリンク情報の各々が示すリンク先から取得される情報を表示するリンク一覧画像の生成に用いられるレイアウト情報を生成するレイアウト情報生成部と、
生成された前記レイアウト情報を前記情報処理端末へ送信させる送信制御部と、
として機能させるためのプログラム。
（１９）
コンピュータを、
情報処理端末からの、物体に関連する情報の受信に基づいて、前記物体に関連する情報に対応づけられた複数のリンク情報を取得するリンク情報取得部と、
取得された前記複数のリンク情報を含み、前記複数のリンク情報の各々が示すリンク先から取得される情報を表示するリンク一覧画像の生成に用いられるレイアウト情報を生成するレイアウト情報生成部と、
生成された前記レイアウト情報を前記情報処理端末へ送信させる送信制御部と、
として機能させるためのプログラムを記録したコンピュータ読み取り可能な記録媒体。
【符号の説明】
【０１８８】
１０  情報処理端末
１２  通信網
１４  タグ
２０  管理サーバ
３０  リンクサーバ
３２  要約生成サーバ
１００  制御部
１０２  要求部
１０４  表示制御部
１０６  情報要約部
１０８  送信制御部
１２０  通信部
１２２  表示部
１２４  入力部
１２６  タグ読み取り部
１２８  記憶部
１５０  ＣＰＵ
１５２  ＲＯＭ
１５４  ＲＡＭ
１５６  記録媒体
１５８  入出力インターフェース
１６０  操作入力デバイス
１６２  表示デバイス
１６４  通信インターフェース
１６４  この通信インターフェース
１６６  ＩＣチップ
１６８  通信アンテナ
１７０  カメラ
１７２  バス
２００  制御部
２０２  リンク情報取得部
２０４  レイアウト情報生成部
２０６  送信制御部
２０８  優先順位決定部
２２０  通信部
２２２  記憶部
２２４  タグＩＤテーブル
２２６  リンク情報テーブル
２２８  履歴テーブル
２３０  評価値テーブル
２３２  操作履歴テーブル
２３４  選択履歴テーブル
２３６  読み取り履歴テーブル
２５０  ＣＰＵ
２５２  ＲＯＭ
２５４  ＲＡＭ
２５６  通信インターフェース
２５８  記録媒体
２６０  バス
【図１】
2015033712.tif 000003
【図２】
2015033712.tif 000004
【図３】
2015033712.tif 000005
【図４】
2015033712.tif 000006
【図５】
2015033712.tif 000007
【図６】
2015033712.tif 000008
【図７】
2015033712.tif 000009
【図８】
2015033712.tif 000010
【図９】
2015033712.tif 000011
【図１０】
2015033712.tif 000012
【図１１】
2015033712.tif 000013
【図１２】
2015033712.tif 000014
【図１３】
2015033712.tif 000015
【図１４】
2015033712.tif 000016
【図１５】
2015033712.tif 000017
【図１６】
2015033712.tif 000018
【図１７】
2015033712.tif 000019
【図１８】
2015033712.tif 000020
【図１９】
2015033712.tif 000021
【図２０】
2015033712.tif 000022
【図２１】
2015033712.tif 000023
【図２２】
2015033712.tif 000024
【図２３】
2015033712.tif 000025
【図２４】
2015033712.tif 000026
【図２５】
2015033712.tif 000027
【図２６】
2015033712.tif 000028
【図２７】
2015033712.tif 000029
【図２８】
2015033712.tif 000030
【図２９】
2015033712.tif 000031
【図３０】
2015033712.tif 000032
【国際調査報告】
2015033712.tif 000033
2015033712.tif 000034
2015033712.tif 000035
2015033712.tif 000036